(57)【要約】【課題】駐車場で入出庫が円滑に行われ、建設費が低減でき、さらに各階層毎の料金体系などの管理条件の設定ができ、しかも不正利用を防止することもできる等、多様な管理ができる駐車場管理方法および装置を提供すること。【解決手段】駐車される各駐車マス毎の駐車マス情報と、発行される駐車券毎の駐車券情報とに基づき駐車場の正規利用と不正利用との利用形態を判断して管理するようにする。これにより、同一駐車マスに対する正規利用と不正利用が駐車券情報を用いることで容易に判断することができ、システム上不正を防止することができるようにしている。【選択図】  図４
2004272404.tif 000002
【特許請求の範囲】
【請求項１】
駐車される各駐車マス毎の駐車マス情報と、発行される駐車券毎の駐車券情報とに基づき駐車場の正規利用と不正利用との利用形態を判断して管理することを特徴とする駐車場管理方法。
【請求項２】
前記利用形態を同一駐車マスに対する前記正規利用と前記不正利用とを前記駐車マス情報と前記駐車券情報とから判断して管理することを特徴とする請求項１記載の駐車場管理方法。
【請求項３】
前記正規利用の一つを、前記駐車券発行後、入庫から一定のサービス時間経過前に、駐車料金の精算前の出庫でこの出庫から一定のサービス時間経過前とし、当該駐車券では出場のみを可能と判断して管理することを特徴とする請求項１または２記載の駐車場管理方法。
【請求項４】
前記不正利用の一つを、前記駐車券発行後、入庫から一定のサービス時間経過前に、駐車料金の精算前の出庫でこの出庫から一定のサービス時間経過後とし、当該駐車券では精算、出場のいずれも不能と判断して管理することを特徴とする請求項１〜３のいずれかに記載の駐車場管理方法。
【請求項５】
前記不正利用の一つを、前記駐車券発行後、入庫から一定のサービス時間経過後に、駐車料金の精算前の出庫で、当該駐車券では精算、出場のいずれも不能と判断して管理することを特徴とする請求項１〜４のいずれかに記載の駐車場管理方法。
【請求項６】
前記正規利用の一つを、前記駐車券発行後、駐車料金の精算後で一定の出庫の猶予時間経過前の出庫で、この出庫から一定のサービス時間経過前とし、当該駐車券での出場を可能と判断して管理することを特徴とする請求項１〜５のいずれかに記載の駐車場管理方法。
【請求項７】
前記不正利用の一つを、前記駐車券発行後、駐車料金の精算後で一定の出庫の猶予時間経過前の出庫で、この出庫から一定のサービス時間経過後とし、当該駐車券では出場を不能と判断する一方、再精算により前記正規利用として出場可能と判断して管理することを特徴とする請求項１〜６のいずれかに記載の駐車場管理方法。
【請求項８】
前記不正利用の一つを、前記駐車券発行後、駐車料金の精算後で一定の出庫の猶予時間経過後とし、当該駐車券での出場を不能と判断する一方、再精算により前記正規利用として出場可能と判断して管理することを特徴とする請求項１〜７のいずれかに記載の駐車場管理方法。
【請求項９】
前記駐車券のみで入庫から精算、出庫、出場までを管理することを特徴とする請求項１〜８のいずれかに記載の駐車場管理方法。
【請求項１０】
前記駐車券に加え、精算後に発行される出場用媒体とにより入庫から精算、出庫、出場までを管理することを特徴とする請求項１〜９のいずれかに記載の駐車場管理方法。
【請求項１１】
前記駐車券に加え、精算後出場媒体を発行し、前記駐車券を駐車券発行部分に回収するようにし、入庫から精算、出庫、出場までを管理することを特徴とする請求項１〜１０のいずれかに記載の駐車場管理方法。
【請求項１２】
前記駐車券に代え、利用者所有の識別情報を備えたカードを用い、この識別情報と前記駐車券情報とを関連付けて入庫から精算、出庫、出場までを管理することを特徴とする請求項１〜１１のいずれかに記載の駐車場管理方法。
【請求項１３】
前記駐車料金を、予め各駐車マス毎あるいは複数の駐車マス毎に料金体系を任意に設定可能とし、前記駐車マス情報と当該料金体系とに基づき駐車料金を精算し管理することを特徴とする請求項１〜１２のいずれかに記載の駐車場管理方法。
【請求項１４】
前記入庫を、各駐車マスに設けた在車センサが一定時間以上在車を検知したことで確定し、確定後、前記駐車マス情報と入庫時間を取得するようにして管理することを特徴とする請求項１〜１３のいずれかに記載の駐車場管理方法。
【請求項１５】
前記入庫確定後、前記駐車マス情報の入力により前記駐車券を発行可能とし、この駐車券発行後、あるいは利用者所有のカードの識別情報を読み取り前記駐車マス情報の入力後、前記駐車マス情報とともに駐車券情報を取得して管理することを特徴とする請求項１〜１４のいずれかに記載の駐車場管理方法。
【請求項１６】
前記駐車マス情報の入力を複数箇所のいずれかから入力可能として前記駐車券を発行可能として、あるいは利用者所有のカードの識別情報を読み取り可能として管理することを特徴とする請求項１〜１５のいずれかに記載の駐車場管理方法。
【請求項１７】
前記駐車券あるいは利用者所有のカードの駐車券情報を読み取り、対応する駐車マス情報と関連付けて予め設定された前記料金体系に基づき精算し、精算済み情報を取得するようにして管理することを特徴とする請求項１〜１６のいずれかに記載の駐車場管理方法。
【請求項１８】
前記精算済情報として精算時刻を取得し、この精算時刻に基づき一定の出場猶予時間内の出場を可能として管理することを特徴とする請求項１〜１７のいずれかに記載の駐車場管理方法。
【請求項１９】
前記精算済み情報を関連している駐車券情報と関連付けて記録して管理することを特徴とする請求項１〜１８のいずれかに記載の駐車場管理方法。
【請求項２０】
前記出場後、前記駐車券情報をリセットして再使用可能として管理することを特徴とする請求項１〜１９のいずれかに記載の駐車場管理方法。
【請求項２１】
前記不正利用に対しては、警報を表示するとともに、管理人により対応して管理することを特徴とする請求項１〜２０のいずれかに記載の駐車場管理方法。
【請求項２２】
駐車される各駐車マス毎の駐車マス情報を取得する駐車マス制御端末装置と、駐車券を発行しあるいは利用者所有のカードの識別情報を読み込み駐車マス情報の入力後駐車券情報を取得する駐車券発行装置と、発行される各駐車券あるいは前記識別情報を読み込んだ利用者所有のカードごとの駐車券情報と駐車マス情報とに基づき駐車料金を精算し精算情報を取得する精算装置と、出場情報を検出する出場情報検出装置と、これら各装置と各情報とを通信可能とされるとともに、入庫から精算、出庫、出場までを制御し判断し管理する中央制御管理装置とを具備することを特徴とする駐車場管理装置。
【請求項２３】
前記駐車マス制御端末装置は、駐車マスへの在車を検出する在車センサを備えることを特徴とする請求項２２記載の駐車場管理装置。
【請求項２４】
前記駐車マス制御端末装置は、前記駐車マス毎あるいは複数の前記駐車マス毎に設けられることを特徴とする請求項２２または２３記載の駐車場管理装置。
【請求項２５】
前記駐車マス制御端末装置は、複数の装置毎にエリア制御端末装置を介して設けられることを特徴とする請求項２２〜２４のいずれかに記載の駐車場管理装置。
【請求項２６】
前記駐車券発行装置は、前記駐車マス毎あるいは複数の前記駐車マス毎に設けられることを特徴とする請求項２２〜２５のいずれかに記載の駐車場管理装置。
【請求項２７】
前記駐車券発行装置は、前記駐車マスの番号を入力する毎に発行可能に構成されてなることを特徴とする請求項２２〜２６のいずれかに記載の駐車場管理装置。
【請求項２８】
前記駐車券発行装置は、駐車券発行ボタンが押されるか、利用者所有のカードの識別情報を読み込み、前記駐車マスの番号が入力可能に構成されてなることを特徴とする請求項２２〜２７のいずれかに記載の駐車場管理装置。
【請求項２９】
前記精算装置は、前記駐車券の投入あるいは利用者所有のカードの識別情報の読み込みにより精算可能に構成されてなることを特徴とする請求項２２〜２８のいずれかに記載の駐車場管理装置。
【請求項３０】
前記精算装置は、精算後に前記駐車券または前記カードを返却するとともに、出場用媒体を発行可能に構成されてなることを特徴とする請求項２２〜２９のいずれかに記載の駐車場管理装置。
【請求項３１】
前記中央制御管理装置は、前記駐車マス制御端末装置からの駐車マス情報を記録する駐車マス情報部と、駐車券発行装置からの駐車券情報を記録する駐車券情報部と、これら情報に基づき正規利用、不正利用の判断用のプログラムを格納するプログラム格納部とを有してなることを特徴とする請求項２２〜３０のいずれかに記載の駐車場管理装置。
【請求項３２】
前記中央制御管理装置には、出口ゲートが接続され、前記出場情報検出装置と当該中央制御管理装置とで出場許可と判断をした場合に当該出口ゲートを開放可能に構成したことを特徴する請求項２２〜３１のいずれかに記載の駐車場管理装置。
【請求項３３】
前記中央制御管理装置には、前記駐車マス毎あるいは複数の駐車マス毎の料金体系を任意に設定する料金体系設定部が設けてなることを特徴とする請求項２２〜３２のいずれかに記載の駐車場管理装置。
【請求項３４】
駐車される各駐車マス毎の駐車マス情報を取得する駐車マス制御端末装置と、駐車券を発行しあるいは利用者所有のカードの識別情報を読み取り前記駐車マス情報の入力後に駐車券情報を取得する駐車券発行装置と、発行される各駐車券あるいは前記識別情報を読み込んだ利用者所有のカードごとの駐車券情報と駐車マス情報と料金体系とに基づき駐車料金を精算し精算情報を取得する精算装置と、出場情報を検出する出場情報検出装置と、これら各装置と各情報とを通信可能とされるとともに、入庫から精算、出庫、出場までを制御し判断し管理する中央制御管理装置とを具備し、これら各装置からの情報により当該中央制御管理装置では、駐車マスに車が駐車されると少なくともマス番号と駐車された時刻あるいは、前記中央制御管理装置が駐車された時刻を特定できるデータを含む駐車マス情報を前記中央制御管理装置に送信するステップと、前記駐車券発行装置に前記駐車マス情報が入力されて駐車券が発行されるあるいは利用者所有のカードの識別情報を読み取り前記駐車マス情報が入力されると少なくとも駐車券番号を含む駐車券情報と駐車マス番号とを前記中央制御管理装置に送信するステップと、前記駐車マス情報と前記駐車券情報を関連付けるステップと、前記精算装置で精算手続が開始された場合に、当該精算装置より少なくとも駐車券番号あるいは利用者所有のカードの識別情報と駐車マス番号に関連付けられた開始時刻を含む精算情報が前記中央制御管理装置に送信されるステップと、当該中央制御管理装置が精算情報と前記駐車マス情報および前記駐車券情報を基に精算の可否を判断し、前記精算装置に精算許可の信号を発するステップと、前記精算機で精算が終了した場合に、少なくとも前記駐車券番号あるいは利用者所有のカードの識別情報に関連付けられた精算終了時刻を含む精算情報が前記中央制御管理装置に送信されるステップと、前記駐車券情報と前記精算情報を関連付けて記録するステップと、駐車マスから車が出庫すると少なくともマス番号と出庫された時刻あるいは、前記中央制御管理装置が出庫された時刻を得で記するデータを含む駐車マス情報を前記中央制御管理装置に送信するステップと、前記駐車マス情報と対応した駐車券情報内に、前記駐車マス情報を記録するステップと、前記出場情報検出装置に対して出場手続が開始された場合に当該出場情報検出装置が少なくとも前記駐車券番号あるいは利用者所有のカードの識別情報に関連付けられた出場申請時刻を含む出場申請情報を前記中央制御管理装置に送信するステップと、前記駐車券情報、前記精算情報、前記出場申請情報を基に前記中央制御管理装置が正規利用か不正利用かを判断するステップとで利用形態を判断し管理することを特徴とする駐車場管理装置。
【発明の詳細な説明】
【０００１】
【発明の属する技術分野】
この発明は駐車場管理方法および装置に関し、特に入口ゲートを設けずに出口ゲートだけとした場合でも１枚の駐車券で入庫から出場までを管理でき、しかも駐車マス毎などに異なる料金体系とした場合の不正利用をシステム上で防止できるようにしたものである。
【０００２】
【従来の技術】
有料駐車場の管理システムには、大別して、駐車場の入口にゲートが設けられ、ゲートで車の入出庫を管理するゲート有り管理システムと、車が駐車される駐車マス毎に入出庫を管理し、駐車場の入口にはゲートが設けられないゲート無し管理システムがある。
【０００３】
例えば、前者のゲート有り管理システムの一例としては、特許文献１に開示されたものがあり、これを図２３を参照して略述すると、駐車場１に入口と出口が設けられ、それぞれに入口ゲート２、出口ゲート３が設けられており、入口ゲート２には、発券機４  が設けられ、出口ゲート３には、精算機５が設けられている。
【０００４】
そして、入庫する車６が入口ゲート２に到達すると、発券機４から駐車券（図示せず）が発行される。この駐車券には発行時の時刻が入庫時刻として記録される。この入庫時刻の記録は印字されるか、あるいは磁気書込み手段（図示せず）により磁気的に記録される。利用者がこの駐車券を発券機４から取ることで、入口ゲート２が開き入場可能となる。こうして入場した後は、利用者は空いている駐車マス７を適宜選択し、駐車する。
【０００５】
利用者が出庫する場合は、車６′を出口ゲート３まで運転し、駐車券を精算機５に投入する。この精算機５では、駐車券に記録された入場時の記録に基づき精算額を演算し、精算機５の表示部に精算額が表示される。利用者は表示された精算額を精算機５に投入すると、出口ゲート３が開き駐車場１から出場が可能となる。
【０００６】
次に、後者のゲート無し管理システムとしては、例えば特許文献２に開示されたものがあり、これを図２４を参照して略述すると、このゲート無し管理システムでは、各駐車マス７に車６を物理的に拘束するフラップ装置８及び車６の存在を検知する検出器９、精算機５がそれぞれ設けられている。このフラップ装置８は、車輪が通過し、検出器９が車を検知すると板状のフラップ（図示せず）が引起され、車輪が乗越せないようにするものである。
【０００７】
そして、駐車場１に入場した車６が、空いている駐車マス７に駐車すると、検出器９により車６が検出され、フラップ装置８が作動し、車６を機械的に拘束する。すると、フラップ装置８  が作動した時点で、作動した時刻が精算機５に入庫時刻として記録される。
【０００８】
一方、利用者が出庫する場合は、精算機５の例えば入力装置から駐車マス７の番号を入力して精算ボタン等を押すと、駐車した時間と精算金額が表示される。利用者が、精算金額を精算機５に投入すると、フラップ装置８が作動し、フラップが倒され、車６の機械的拘束が解かれ、利用者が車６に乗り駐車マス７から出て出場することができる。
【０００９】
また  、無人駐車場としては、特許文献３に示されるような機械式駐車装置がある。
【００１０】
【特許文献１】
特公平１―４２０８９８号公報
【特許文献２】
特開２０００―４８２２８号公報
【特許文献３】
特開２０００−９６８６６  号公報
【００１１】
【発明が解決しようとする課題】
ところが、前者のゲート有り管理システムでは、管理上入口ゲート２、出口ゲート３はそれぞれ１箇所に設けられるのが普通であり、入庫車は一台ずつ入口ゲート２で駐車券を受取り、出口ゲート３で精算する。このため、入庫車、出庫車が連続するような場合は、入口ゲート２や出口ゲート３で渋滞するという問題がある。
【００１２】
また、駐車マス７は駐車券が発行された後に利用者が任意に選択するため、駐車券に記録される情報としては入庫時間程度の情報に限られ、駐車管理が画一的にならざるを得ず、例えば、駐車場１が多層階であった場合、駐車料金としてどの階層を利用しても同一料金であり、利用者にとっては低層階での駐車が便利であるとすれば、高層階の利用率が低くなる等の問題もあった。
【００１３】
一方、後者のゲート無し駐車場管理システムでは、駐車マス７毎の管理が可能であり、例えば各階層毎の料金設定が可能であるが、各駐車マス７毎にフラップ装置８、検出器９、精算機５を設けなければならないため、駐車マス７単位当りのコストが高く、大規模な駐車場１では建設費が高くなるという問題があるとともに、全てのフラップ装置８、検出器９、精算機５に対して電力を供給し、常時稼働状態に維持しなければならないので、ランニングコストが増大する等の問題があった。
【００１４】
また  、無人駐車場としての機械式駐車装置では、建設費が高くなるという問題がある。
【００１５】
この発明はかかる実情に鑑みてなされたもので、駐車場で入出庫が円滑に行われ、建設費が低減でき、さらに各階層毎の料金体系などの管理条件の設定ができ、しかも不正利用を防止することもできる等、多様な管理ができる駐車場管理方法および装置を提供しようとするものである。
【００１６】
【課題を解決するための手段】
上記従来技術が有する課題を解決するため、この発明の請求項１記載の駐車場管理方法は、駐車される各駐車マス毎の駐車マス情報と、発行される駐車券毎の駐車券情報とに基づき駐車場の正規利用と不正利用との利用形態を判断して管理することを特徴とするものであり、この駐車場管理方法によれば、駐車マス情報と駐車券情報との２つの情報を用いることで、正規利用と不正利用とをシステム上で判断し防止できるようにしている。
【００１７】
この発明の請求項２記載の駐車場管理方法は、請求項１記載の構成に加え、前記利用形態を同一駐車マスに対する前記正規利用と前記不正利用とを前記駐車マス情報と前記駐車券情報とから判断して管理することを特徴とするものであり、この駐車場管理方法によれば、同一駐車ますに対する正規利用と不正利用が駐車券情報を用いることで容易に判断でき、システム上で防止できるようになる。
【００１８】
この発明の請求項３記載の駐車場管理方法は、請求項１または２記載の構成に加え、前記正規利用の一つを、前記駐車券発行後、入庫から一定のサービス時間経過前に、駐車料金の精算前の出庫でこの出庫から一定のサービス時間経過前とし、当該駐車券では出場のみを可能と判断して管理することを特徴とするものであり、この駐車場管理方法によれば、駐車券による精算前でもサービス時間前には正規利用として出場だけを可能とすることで、この駐車券を用いる不正利用を防止できるようになる。
【００１９】
この発明の請求項４記載の駐車場管理方法は、請求項１〜３のいずれかに記載の構成に加え、前記不正利用の一つを、前記駐車券発行後、入庫から一定のサービス時間経過前に、駐車料金の精算前の出庫でこの出庫から一定のサービス時間経過後とし、当該駐車券では精算、出場のいずれも不能と判断して管理することを特徴とするものであり、この駐車場管理方法によれば、不正利用の一つをこのように定めることで、システム上不正利用を判断して防止できるようにしている。
【００２０】
この発明の請求項５記載の駐車場管理方法は、請求項１〜４のいずれかに記載の構成に加え、前記不正利用の一つを、前記駐車券発行後、入庫から一定のサービス時間経過後に、駐車料金の精算前の出庫で、当該駐車券では精算、出場のいずれも不能と判断して管理することを特徴とするものであり、この駐車場管理方法によれば、不正利用の一つをこのように定めることで、システム上不正利用を判断して防止できるようにしている。
【００２１】
この発明の請求項６記載の駐車場管理方法は、請求項１〜５のいずれかに記載の構成に加え、前記正規利用の一つを、前記駐車券発行後、駐車料金の精算後で一定の出庫の猶予時間経過前の出庫で、この出庫から一定のサービス時間経過後とし、当該駐車券での出場を可能と判断して管理することを特徴とするものであり、この駐車場管理方法によれば、このような通常の利用を正規利用の一つとして設定しておくことで、システム上判断し管理することができるようにしている。
【００２２】
この発明の請求項７記載の駐車場管理方法は、請求項１〜６のいずれかに記載の構成に加え、前記不正利用の一つを、前記駐車券発行後、駐車料金の精算後で一定の出庫の猶予時間経過前の出庫で、この出庫から一定のサービス時間経過後とし、当該駐車券では出場を不能と判断する一方、再精算により前記正規利用として出場可能と判断して管理することを特徴とするものであり、この駐車場管理方法によれば、精算後の猶予時間の経過の有無によって不正利用と再精算の必要を判断することで、駐車場の管理が広範囲にできるようになる。
【００２３】
この発明の請求項８記載の駐車場管理方法は、請求項１〜７のいずれかに記載の構成に加え、前記不正利用の一つを、前記駐車券発行後、駐車料金の精算後で一定の出庫の猶予時間経過後とし、当該駐車券での出場を不能と判断する一方、再精算により前記正規利用として出場可能と判断して管理することを特徴とするものであり、この駐車場管理方法によれば、精算後の猶予時間の経過の有無によって不正利用と再精算の必要を判断することで、駐車場の管理が広範囲にできるようになる。
【００２４】
この発明の請求項９記載の駐車場管理方法は、請求項１〜８のいずれかに記載の構成に加え、前記駐車券のみで入庫から精算、出庫、出場までを管理することを特徴とするものであり、この駐車場管理方法によれば、１枚の駐車券とシステム上の駐車マス情報および駐車券情報等との組み合わせによって駐車場の管理や利用形態の判断ができるようにしている。
【００２５】
この発明の請求項１０記載の駐車場管理方法は、請求項１〜９のいずれかに記載の構成に加え、前記駐車券に加え、精算後に発行される出場用媒体とにより入庫から精算、出庫、出場までを管理することを特徴とするものであり、この駐車場管理方法によれば、駐車券のほかに精算後に出場用媒体を発行することで、駐車券の回収や再利用を容易とし、管理の省力化を図ることができるようになる。
【００２６】
この発明の請求項１１記載の駐車場管理方法は、請求項１〜１０のいずれかに記載の構成に加え、前記駐車券に加え、精算後出場用媒体を発行し、前記駐車券を駐車券発行部分に回収するようにし、入庫から精算、出庫、出場までを管理することを特徴とするものであり、この駐車場管理方法によれば、出場を精算後に精算装置または駐車券発行装置から発行される出場用媒体を用いて行うことで、駐車券を発行部分に返却させることができ、一層駐車場の人手によって行われる部分の管理の省力化が容易にできるようになる。
【００２７】
この発明の請求項１２記載の駐車場管理方法は、請求項１〜１１のいずれかに記載の構成に加え、前記駐車券に代え、利用者所有の識別情報を備えたカードを用い、この識別情報と前記駐車券情報とを関連付けて入庫から精算、出庫、出場までを管理することを特徴とするものであり、この駐車場管理方法によれば、利用者が所有しているカードの識別情報を駐車券情報と関連付けて用いることで駐車券と同様に機能させることができ、駐車券を用いることなく駐車場を管理することができるようになる。
【００２８】
この発明の請求項１３記載の駐車場管理方法は、請求項１〜１２のいずれかに記載の構成に加え、前記駐車料金を、予め各駐車マス毎あるいは複数の駐車マス毎に料金体系を任意に設定可能とし、前記駐車マス情報と当該料金体系とに基づき駐車料金を精算し管理することを特徴とするものであり、この駐車場管理方法によれば、各駐車マス毎などに任意に設定した料金体系と駐車マス情報とに基づいて料金を精算し管理することで、駐車マスの利便性によって料金を任意に設定することができ、不公平感を無くしてそれぞれの駐車マスの利用効率を向上することができるようになる。
【００２９】
この発明の請求項１４記載の駐車場管理方法は、請求項１〜１３のいずれかに記載の構成に加え、前記入庫を、各駐車マスに設けた在車センサが一定時間以上在車を検知したことで確定し、確定後、前記駐車マス情報と入庫時間を取得するようにして管理することを特徴とするものであり、この駐車場管理方法によれば、駐車マスへの入庫を在車センサが一定時間以上検出することで確定することができ、これにより入庫時間を駐車マス情報とともに取得して管理することができるようになる。
【００３０】
この発明の請求項１５記載の駐車場管理方法は、請求項１〜１４のいずれかに記載の構成に加え、前記入庫確定後、前記駐車マス情報の入力により前記駐車券を発行可能とし、この駐車券発行後あるいは利用者所有のカードの識別情報を読み取り前記駐車マス情報の入力後、前記駐車マス情報とともに駐車券情報を取得して管理することを特徴とするものであり、この駐車場管理方法によれば、駐車マス情報の入力により駐車券を発行することで、あるいは利用者所有のカードの識別情報を読み取り前記駐車マス情報の入力により駐車マス情報と駐車券情報を取得して管理することで、２つの情報を関連付けることができ、これにより駐車場の利用形態などの管理も容易にできるようになる。
【００３１】
この発明の請求項１６記載の駐車場管理方法は、請求項１〜１５のいずれかに記載の構成に加え、前記駐車マス情報の入力を複数箇所のいずれかから入力可能として前記駐車券を発行可能としあるいは利用者所有のカードの識別情報を読み取り可能として管理することを特徴とするものであり、この駐車場管理方法によれば、駐車券の発行あるいは利用者所有のカードの識別情報の読み取りを複数箇所から行うことができ、これにより利用者が特定の所で駐車券の発行手続あるいは利用者所有のカードの識別情報を読み込ませる手続を行う必要がなく、駐車場の利便性を一層向上できるようになる。
【００３２】
この発明の請求項１７記載の駐車場管理方法は、請求項１〜１６のいずれかに記載の構成に加え、前記駐車券あるいは利用者所有のカードの駐車券情報を読み取り、対応する駐車マス情報と関連付けて予め設定された前記料金体系に基づき精算し、精算済情報を取得するようにして管理することを特徴とするものであり、この駐車場管理方法によれば、駐車券あるいは利用者所有のカードの駐車券情報を読み取ることで対応する駐車マス情報から料金体系を得て駐車料金を精算でき、この精算による精算済情報でその後の出場などの管理ができるようにしている。
【００３３】
この発明の請求項１８記載の駐車場管理方法は、請求項１〜１７のいずれかに記載の構成に加え、前記精算済情報として精算時刻を取得し、この精算時刻に基づき一定の出場猶予時間内の出場を可能として管理することを特徴とするものであり、この駐車場管理方法によれば、精算済情報として精算時刻を取得することで、精算後出場までの一定の出場猶予時間の開始を管理して出場させることができるようになる。
【００３４】
この発明の請求項１９記載の駐車場管理方法は、請求項１〜１８のいずれかに記載の構成に加え、前記精算済み情報を関連している駐車券情報と関連付けて記録して管理することを特徴とするものであり、この駐車場管理方法によれば、駐車券番号あるいは利用者所有のカードの識別情報により、この駐車券番号あるいは利用者所有のカードの識別情報と関連付けられた精算済み情報を検索することができるようになる。
【００３５】
この発明の請求項２０記載の駐車場管理方法は、請求項１〜１９のいずれかに記載の構成に加え、前記出場後、前記駐車券情報をリセットして再使用可能として管理することを特徴とするものであり、この駐車場管理方法によれば、出場が完了した後駐車券情報をリセットすることで同一情報部に駐車券情報を再び記録するなどで再使用でき、これにより管理制御装置などのシステムの容量を小さくでき、管理も容易にできるようになる。
【００３６】
この発明の請求項２１記載の駐車場管理方法は、請求項１〜２０のいずれかに記載の構成に加え、前記不正利用に対しては、警報を表示するとともに、管理人により対応して管理することを特徴とするものであり、この駐車場管理方法によれば、不正利用に対しては警報を表示し、管理人が対応するようにすることで、不正利用を抑制し、発生した場合の対応も簡単にできるようにしている。
【００３７】
この発明の請求項２２記載の駐車場管理装置は、  駐車される各駐車マス毎の駐車マス情報を取得する駐車マス制御端末装置と、駐車券を発行しあるいは利用者所有のカードの識別情報を読み込み駐車券情報を取得する駐車券発行装置と、発行される各駐車券あるいは利用者所有のカードごとの駐車券情報と駐車マス情報とに基づき駐車料金を精算し精算情報を取得する精算装置と、出場情報を検出する出場情報検出装置と、これら各装置と各情報とを通信可能とされるとともに、入庫から精算、出庫、出場までを制御し判断し管理する中央制御管理装置とを具備することを特徴とするものであり、この駐車場管理装置によれば、駐車マス制御端末装置と、駐車券発行装置と、精算装置と、出場情報検出装置とを中央制御管理装置で構成することで、駐車マス情報と駐車券情報とに基づき駐車料金を精算し、取得した精算情報や出場情報を検出して出場の可否を検出するなどして入庫から精算、出庫、出場までを制御し判断して駐車場を管理できるようになる。
【００３８】
この発明の請求項２３記載の駐車場管理装置は、請求項２２記載の構成に加え、前記駐車マス制御端末装置は、駐車マスへの在車を検出する在車センサを備えることを特徴とするものであり、この駐車場管理装置によれば、在車センサによって駐車マスへの在車を検出することができ、これにより入庫の確定や入庫時間の取得ができるようになる。
【００３９】
この発明の請求項２４記載の駐車場管理装置は、請求項２２または２３記載の構成に加え、前記駐車マス制御端末装置は、前記駐車マス毎あるいは複数の前記駐車マス毎に設けられることを特徴とするものであり、この駐車場管理装置によれば、駐車マス制御端末装置を駐車マス毎あるいは複数の駐車マス毎に設けることで、設置台数を削減し装置を簡素化することができるようにしている。
【００４０】
この発明の請求項２５記載の駐車場管理装置は、請求項２２〜２４のいずれかに記載の構成に加え、前記駐車マス制御端末装置は、複数の装置毎にエリア制御端末装置を介して設けられることを特徴とするものであり、この駐車場管理装置によれば、複数の駐車マス制御端末装置毎にエリア制御端末装置を設けることで、一層設置台数を削減して装置を簡素化することができるようになる。
【００４１】
この発明の請求項２６記載の駐車場管理装置は、請求項２２〜２５のいずれかに記載の構成に加え、前記駐車券発行装置は、前記駐車マス毎あるいは複数の前記駐車マス毎に設けられることを特徴とするものであり、この駐車場管理装置によれば、駐車マス毎あるいは複数の駐車マス毎に設けた駐車券発行装置で駐車券を発行することで、装置の台数を削減して効率的に発券できるようになる。
【００４２】
この発明の請求項２７記載の駐車場管理装置は、請求項２２〜２６のいずれかに記載の構成に加え、前記駐車券発行装置は、前記駐車マスの番号を入力する毎に発行可能に構成されてなることを特徴とするものであり、この駐車場管理装置によれば、駐車券発行装置で、駐車マスの番号を入力する毎に駐車券を発行することで、駐車マスの番号と駐車券情報を関連付けて管理することができ、これにより正規利用と不正利用の判断などを容易に行うことができるようになる。
【００４３】
この発明の請求項２８記載の駐車場管理装置は、請求項２２〜２７のいずれかに記載の構成に加え、前記駐車券発行装置は、駐車券発行ボタンが押されるか、利用者所有のカードの識別情報を読み込み、前記駐車マスの番号が入力可能に構成されてなることを特徴とするものであり、この駐車場管理装置によれば、駐車券発行装置で、利用者所有のカードの識別情報を読み込み駐車マスの番号を入力された時に、駐車マスの番号と駐車券情報を関連付けて管理することができ、これにより、正規利用と不正利用の判断などを容易に行うことができるようになる。
【００４４】
この発明の請求項２９記載の駐車場管理装置は、請求項２２〜２８のいずれかに記載の構成に加え、前記精算装置は、前記駐車券の投入あるいは利用者所有のカードの識別情報の読み込みにより精算可能に構成されてなることを特徴とするものであり、この駐車場管理装置によれば、駐車券の投入あるいは利用者所有のカードの識別情報の読み込みにより駐車料金の精算ができるようになる。
【００４５】
この発明の請求項３０記載の駐車場管理装置は、請求項２２〜２９のいずれかに記載の構成に加え、前記精算装置は、精算後に前記駐車券または前記カードを返却するとともに、出場用媒体を発行可能に構成されてなることを特徴とするものであり、この駐車場管理装置によれば、精算装置で精算後に駐車券またはカードを返却して出場用媒体を発行することで、駐車券を回収した場合でも出場用媒体で出場することができるようにしている。
【００４６】
この発明の請求項３１記載の駐車場管理装置は、請求項２２〜３０のいずれかに記載の構成に加え、前記中央制御管理装置は、前記駐車マス制御端末装置からの駐車マス情報を記録する駐車マス情報部と、駐車券発行装置からの駐車券情報を記録する駐車券情報部と、これら情報に基づき正規利用、不正利用の判断用のプログラムを格納するプログラム格納部とを有してなることを特徴とするものであり、この駐車場管理装置によれば、中央制御管理装置が駐車マス情報部と、駐車券情報部と、プログラム格納部とを有していることから、駐車マス情報と駐車券情報と利用形態を判断するプログラムから不正利用や正規利用を判断して管理できるようになる。
【００４７】
この発明の請求項３２記載の駐車場管理装置は、請求項２２〜３１のいずれかに記載の構成に加え、前記中央制御管理装置には、出口ゲートが接続され、前記出場情報検出装置と当該中央制御管理装置とで出場許可と判断をした場合に当該出口ゲートを開放可能に構成したことを特徴するものであり、この駐車場管理装置によれば、中央制御管理装置に接続した出口ゲートを、出場情報検出装置と中央制御管理装置とで判断して開放するようにすることで、出口ゲートからの出場を管理することもできるようになる。
【００４８】
この発明の請求項３３記載の駐車場管理装置は、請求項２２〜３２のいずれかに記載の構成に加え、前記中央制御管理装置には、前記駐車マス毎あるいは複数の駐車マス毎の料金体系を設定する料金体系設定部が設けてなることを特徴とするものであり、この駐車場管理装置によれば、中央制御管理装置に設けた料金体系設定部に駐車マス毎あるいは複数の駐車マス毎の料金体系を設定するようにしたので、料金を任意に設定することができ、利便性に応じた料金などを設定することができるようになる。
【００４９】
この発明の請求項３４記載の駐車場管理装置は、駐車される各駐車マス毎の駐車マス情報を取得する駐車マス制御端末装置と、駐車券を発行しあるいは利用者所有のカードの識別情報を読み取り前記駐車マス情報の入力後に駐車券情報を取得する駐車券発行装置と、発行される各駐車券あるいは前記識別情報を読み込んだ利用者所有のカードごとの駐車券情報と駐車マス情報と料金体系とに基づき駐車料金を精算し精算情報を取得する精算装置と、出場情報を検出する出場情報検出装置と、これら各装置と各情報とを通信可能とされるとともに、入庫から精算、出庫、出場までを制御し判断し管理する中央制御管理装置とを具備し、これら各装置からの情報により当該中央制御管理装置では、駐車マスに車が駐車されると少なくともマス番号と駐車された時刻あるいは、前記中央制御管理装置が駐車された時刻を特定できるデータを含む駐車マス情報を前記中央制御管理装置に送信するステップと、前記駐車券発行装置に前記駐車マス情報が入力されて駐車券が発行されるあるいは利用者所有のカードの識別情報を読み取り前記駐車マス情報が入力されると少なくとも駐車券番号を含む駐車券情報と駐車マス番号とを前記中央制御管理装置に送信するステップと、前記駐車マス情報と前記駐車券情報を関連付けるステップと、前記精算装置で精算手続が開始された場合に、当該精算装置より少なくとも駐車券番号あるいは利用者所有のカードの識別情報と駐車マス番号に関連付けられた開始時刻を含む精算情報が前記中央制御管理装置に送信されるステップと、当該中央制御管理装置が精算情報と前記駐車マス情報および前記駐車券情報を基に精算の可否を判断し、前記精算装置に精算許可の信号を発するステップと、前記精算機で精算が終了した場合に、少なくとも前記駐車券番号あるいは利用者所有のカードの識別情報に関連付けられた精算終了時刻を含む精算情報が前記中央制御管理装置に送信されるステップと、前記駐車券情報と前記精算情報を関連付けて記録するステップと、駐車マスから車が出庫すると少なくともマス番号と出庫された時刻あるいは、前記中央制御管理装置が出庫された時刻を得で記するデータを含む駐車マス情報を前記中央制御管理装置に送信するステップと、前記駐車マス情報と対応した駐車券情報内に、前記駐車マス情報を記録するステップと、前記出場情報検出装置に対して出場手続が開始された場合に当該出場情報検出装置が少なくとも前記駐車券番号あるいは利用者所有のカードの識別情報に関連付けられた出場申請時刻を含む出場申請情報を前記中央制御管理装置に送信するステップと、前記駐車券情報、前記精算情報、前記出場申請情報を基に前記中央制御管理装置が正規利用か不正利用かを判断するステップとで利用形態を判断し管理することを特徴とするものである。
この駐車場管理装置によれば、上記のように装置を構成し、中央制御管理装置で上記ステップにしたがって判断し管理することで、駐車場で入出庫を円滑に行うことができ、建設費が低減でき、さらに各階層毎の料金体系などの管理条件の設定ができ、しかも不正利用を防止することもできる等、多様な管理ができる駐車場管理装置とすることができるようになる。
【００５０】
【発明の実施の形態】
以下、この発明の実施の形態について、図面を参照しながら詳細に説明する。図１はこの発明の駐車場管理装置の一実施の形態にかかる概略配置図であり、一枚の駐車券で入場から入庫、精算、出庫、出場までを行うことができるようになっている。
なお、ここでは、全体を同一階層に図示してあるが、入出庫階層と駐車階層を別に設けて構成することもでき、通常、多階層の駐車場では、入場ゲート１４や出口ゲート１８などが入出庫階層に設けられ、別に駐車階層が設けられる。
【００５１】
この駐車場管理装置では、図１に示すように、駐車場１０の入口１１には、入場ゲート用在車検知センサ１２と入場ゲート開閉装置１３を備えた入場ゲート１４が設けられ、出口１５には、出場ゲート用在車検知センサ１６と出場ゲート開閉装置１７を備えた出場ゲート１８が設けられ、この出口１５の近傍には、出場情報検出装置１９が設けられている。また、出場時の案内、情報を表示する図示しない表示部が出口１５の周辺に設けられている。
なお、この駐車場管理装置では、入口１１に入場ゲート１４を設けるようにしたが、入場ゲート１４は必ずしも設置する必要がなく、省略するようにしても良い。
【００５２】
また、入出庫階層には、利用者用出入り口２０が設けられ、精算装置を構成する精算機２１が設けられ、例えば２台の精算機２１が設置してある。
駐車階層には、車６を駐車させるスペースとなる複数の駐車マス２２が設けられるとともに、各駐車マス２２に在車センサ２３が設けられ、この在車センサ２３により各駐車マス２２に車６が駐車されたかどうかが検出できるようになっている。
【００５３】
また、駐車マス２２には、駐車マス制御端末装置を構成する駐車マス制御端末２４が複数の駐車マス２２毎、例えば２つの駐車マス２２毎に設けられる。さらに、複数の駐車マス制御端末２４ごとにブロック化してエリア制御端末装置を構成するエリア制御端末２５が設けられ、例えば図１に示すように、２台〜３台の駐車マス制御端末２４を一つのブロックとしてエリア制御端末２５が設けてある。
そして、複数の駐車マス２２毎に駐車券発行装置を構成する駐車券発行機２６が設けられ、ここでは、２つの駐車マス２２毎に一台の駐車券発行機２６が設置してあり、一つのブロックを構成する一台のエリア制御端末２５に接続された２〜３台の駐車券発行機２６からはそのエリア内の各駐車マス２２のいずれに対しても駐車券２７（図示せず）を発行できるようになっている。
【００５４】
さらに、この駐車場管理装置には、各装置を制御管理するため中央制御管理装置を構成する制御システム３０が設けられ、各装置である出場情報検出装置１９、エリア制御端末２５、精算機２１と中央制御管理装置としての制御システム３０とが有線、無線等所要の手段でデータ通信が可能となっている。
なお、各駐車マス２２毎に駐車マス制御端末２４と駐車券発行機２６を設けるようにしたり、複数の駐車マス２２毎に駐車マス制御端末２４を設けてこの駐車マス制御端末２４毎に駐車券発行機２６を設けるように構成しても良い。
【００５５】
中央制御管理装置を構成する制御システム３０は、図２に示すように、制御システム情報部Ｒ１、プログラム格納部３２、主制御部３３、一時記憶部３４、送受信装置３５、表示部３６、操作部３７、読み取り装置３８を具備している。
【００５６】
そして、制御システム情報部Ｒ１は、図３に示すように、駐車券情報部Ｓ１、駐車マス情報部Ｓ２、識別媒体を持たない利用情報部Ｓ３、料金体系テーブルＳ４、猶予時間体系テーブルＳ５、駐車マス制御端末アドレステーブルＳ６、精算機アドレステーブルＳ７、駐車券発行機アドレステーブルＳ８等を有している。
【００５７】
また、プログラム格納部３２には、所要の演算プログラム、シーケンスを実行するシーケンスプログラム、駐車の正規利用、不正利用の利用形態を判断する判断プログラム等の制御管理に必要な種々のプログラムが格納される。
【００５８】
さらに、主制御部３３では、所要の演算、シーケンスの実行、正規利用や不正利用の利用形態の判断、駐車料金の演算など駐車場の各機器の制御、管理などに必要な演算などが行われ、一時記憶部３４は、駐車場の各機器の制御、管理などに必要な情報を一時的に記憶し、送受信装置３５は、駐車場の各機器の制御、管理などに必要な情報の伝達を行い、表示部３６は、利用者、管理人に必要な情報を表示する。
【００５９】
また、操作部３７は、例えばタッチパネル式とされ、任意の料金体系を入力したり、任意の猶予時間体系テーブルを入力できるようになっており、タッチパネルと表示部を兼ねるようにしても良い。
【００６０】
さらに、読み取り装置３８は、不正をした利用者の所持する駐車券番号などを読み取ることで、タッチパネルに駐車券番号に関する情報の復旧方法を表示させ、メニュー画面にしたがって操作することで、各種情報をリセットするようにしたり、出場ゲート１８を手動で開けるための操作も可能としてある。
なお、出場ゲート１８付近に設置される管理人室には、駐車場１０の各駐車マス２２など全体を監視する監視カメラとビデオ装置が設けてあり、常時監視するとともに、画像を記録できるようになっている。
【００６１】
次に、制御システム３０の主要部である制御システム情報部Ｒ１の各情報部Ｓ１〜Ｓ３および各テーブルＳ４〜Ｓ８について簡単に説明したのち、この駐車場管理装置の制御システム３０の動作とともに、駐車場の管理方法を具体的に説明する。
【００６２】
制御システム情報部Ｒ１の駐車券情報部Ｓ１は、図４に示すように、駐車券毎に、すなわち駐車券番号ごとに駐車券１情報部、駐車券２情報部、・・・駐車券ｎ情報部が設けられるようになっており、各駐車券ｎ情報部には、駐車券番号１，２、・・・ｎが記憶され、この駐車券番号ｎに関連付けてそれぞれに利用者情報Ｓ１−１，精算情報Ｓ１−２，精算有無情報Ｓ１−３などの情報が記録されるようになっている。
【００６３】
各駐車券ｎ情報部の利用者情報Ｓ１−１には、駐車マス番号が記録され、この駐車マス番号に関連付けて入庫時刻、出庫時刻、精算時刻、前サービスタイム情報、精算後出庫猶予タイム情報などの情報が記録される。精算後出庫猶予タイム情報としては、精算後の出庫猶予タイムが終了したか否かが記録される。
ここで、前サービスタイムとは、駐車マスに入庫し入庫確定したが、気が変わって出庫するような場合に対応して入庫各程度一定のサービス時間経過前に駐車料金の精算前でも出庫を認めるための時間をいい、例えば５分程度の時間を設定する。
精算後出庫猶予タイムとは、精算機２１で精算した後、車に戻り駐車マス２２から出庫するまでに必要な時間を想定して定めた時間をいう。
【００６４】
精算情報Ｓ１−２には、精算の可否情報、再精算情報、入庫時刻、前精算時刻、前精算料金などの情報が記録される。再精算情報は再精算の必要があるときは、この部分にその情報が書き込まれ、前精算時刻は、精算するたびに最新の精算時刻に更新され、前精算料金は、精算金額の合計が記録される。
【００６５】
出場情報Ｓ１−３には、前サービスタイム情報、駐車券所持不正出庫情報、精算の有無情報、精算後出庫猶予タイム情報などが記録される。駐車券所持不正出庫情報には、精算せずに、前サービスタイム終了後に出庫した場合、精算不能および出場不能となる情報が記録される。
【００６６】
このような駐車券情報部Ｓ１では、駐車券番号ｎによって駐車券ｍ情報を知ることができ、駐車マス番号によって利用者情報を知ることができるように関連付けられているので、これら２つの情報から駐車券情報部Ｓ１への必要な情報の記録や記録された情報の読み取りができる。
これにより、同一駐車マス２２を利用してそれぞれが駐車券を持つ、正規利用と不正利用であっても、同一の駐車マス番号でも異なる駐車券番号で管理することができ、正規と不正との利用形態を容易に判断することが可能となる。例えば料金の安い駐車マスに一旦入庫して駐車券の発行を受けた後、料金の高い駐車マスに入れ直し、料金の安い方の駐車券で精算して出場する場合の不正利用をシステム上防止することができるようになる。
【００６７】
制御システム情報部Ｒ１の駐車マス情報部Ｓ２は、図５に示すように、駐車マス毎に、すなわち駐車マス番号ごとに駐車マス１情報、駐車マス２情報、・・・駐車マスｍ情報Ｓ２−１が記録できるようになっている。
そして、各駐車マスｍ情報Ｓ２−１には、駐車マス番号、駐車券番号、駐車券発行済み信号、在車の有無情報、入庫時刻、出庫時刻、前サービスタイム情報、精算後出庫猶予タイム情報などの情報が記録されるようになっている。
【００６８】
制御システム情報部Ｒ１の識別媒体を持たない利用者情報部Ｓ３は、図６に示すように、前サービスタイム終了前利用者情報Ｓ３−１と前サービスタイム終了後利用者情報Ｓ３−２とに分けて記録できるようになっている。
そして、前サービスタイム終了前利用者情報Ｓ３−１および前サービスタイム終了後利用者情報Ｓ３−２には、それぞれ利用者毎に、すなわち利用者１情報、利用者２情報、・・・利用者Ｌ情報Ｓ３−３が記録されるようになっており、それぞれの利用者Ｌ情報Ｓ３−３には、駐車マス番号、入庫時刻、出庫時刻などが記録される。
【００６９】
制御システム情報部Ｒ１の料金体系テーブルＳ４には、図７に示すように、必要な数の料金体系を設定し、記録できるようになっており、それぞれの料金体系毎に、その料金体系を適用する駐車マス番号と料金体系がそれぞれ記録されるようになっている。
したがって、駐車マス番号によって駐車料金の精算に必要な料金体系を呼び出すことができるとともに、あらかじめ駐車マス毎や駐車マスのエリア毎などの利便性を考慮した料金体系を任意に入力しておくことができる。
【００７０】
制御システム情報部Ｒ１の猶予時間体系テーブルＳ５には、図８に示すように、精算後出庫猶予時間体系テーブルと出庫後出場猶予時間を設定し、記録できるようになっており、精算後出庫猶予時間体系テーブルには、複数の精算後出庫猶予時間体系Ｓ５−１を設定できるようになっている。
そして、それぞれの精算後出庫猶予時間体系Ｓ５−１には、駐車マス番号ｎと精算後出庫猶予時間が記録される。
この精算後出庫猶予時間は、精算機２１から遠い駐車マス２２と近い駐車マス２２では、必要な時間が異なることからこれに対応して変えて設定できるようになっており、制御システム３０に備えられたタッチパネルから設定可能としてある。
また、出庫後出場猶予時間は、出口の混み具合に応じて、出場までに必要な時間が異なることから設定変更ができるようになっており、これにより利用者に不利益とならないようにする。
この出庫後出場猶予時間も制御システム３０に備えられたタッチパネルから任意に入力できるようにしてあり、出庫後出場猶予時間を直接入力したり、基本の出庫後出場猶予時間を設定しておき、この時間に対して時間を加算する方式などで入力すれば良い。
【００７１】
制御システム３０の駐車マス制御端末アドレステーブルＳ６には、図９に示すように、駐車マス制御端末２４毎にそのアドレスが設定され、例えばアドレスをＡ１，Ｂ１・・とした場合には、駐車マス制御端末Ａ１アドレス、駐車マス制御端末Ｂ１アドレスが記録されるようになっている。そして、各駐車マス制御端末アドレスには、それぞれ駐車マス制御端末アドレスと管理している駐車マス番号情報Ｓ６−１が記録されるようになっている。
この管理している駐車マス番号情報には、駐車マス制御端末が管理する駐車マス番号が記録され、例えば３つの駐車マスを管理する場合には、その番号としてＡ１−１，Ａ１−２，Ａ１−３・・・が記録されるが、管理する駐車マス２２は、１つでも複数でも良い。
【００７２】
制御システム３０の精算機アドレステーブルＳ７には、図１０に示すように、精算機２１毎にそのアドレスが設定され、例えばアドレスを１，２・・とした場合には、精算機１アドレス、精算機２アドレスがそれぞれ記録されるようになっている。
【００７３】
制御システム３０の駐車券発行機アドレステーブルＳ８には、図１１に示すように、駐車券発行機２６毎にそのアドレスが設定され、例えばアドレスを１，２・・ｎとした場合には、駐車券発行機１アドレス、駐車券発行機２アドレス、・・・駐車券発行機ｎアドレスＳ８−１が記録されるようになっている。そして、各駐車券発行機ｎアドレスＳ８−１には、各駐車券発行機ｎアドレスと管理している駐車券番号情報Ｓ８−２が記録されるようになっている。
この管理している駐車券番号情報Ｓ８−２には、駐車券発行機２６が管理する駐車券番号が記録され、例えば駐車券番号１、駐車券番号２、駐車券番号３、・・・のように記録される。
【００７４】
次に、このような制御システム３０の制御システム情報部Ｒ１の各情報部Ｓ１〜Ｓ３および各テーブルＳ４〜Ｓ８を用いて行うこの駐車場管理装置の制御システム３０の動作とともに、駐車場管理方法について具体的に説明する。
【００７５】
この駐車場１０では、利用者の利便性を考慮して各駐車マス２２毎、あるいは駐車階層などの駐車マス２２のエリア毎に駐車料金が制御システム３０の料金体系テーブルＳ４に設定してあり、利用者には、駐車場１０に入場する際に分かるように表示してあり、多少利便性が悪くても安い駐車マス２２を利用したり、逆に料金が高くても利便性の良い駐車マス２２を利用するかを判断することができるようになっている。
また、管理上必要な前サービスタイム、精算後出庫猶予タイム、出庫後出場猶予タイムなどもあらかじめ設定してある。
【００７６】
このように構成した駐車場１０では、入場する車６が入場ゲート１４の手前に停車すると、入場ゲート用在車検知センサ１２が車６を検出し、入場ゲート開閉装置１３に入場信号を発し、入場ゲート１４が開かれる。これにより、入場ゲート１４からは自由に入場はできるが、逆方向からの出場は制限される。
【００７７】
こうして入場した車６は、料金などを考慮して所望の空いている駐車マス２２、例えば駐車マス番号ｎの駐車マス２２に入庫される。
なお、入場とは、車が駐車場１０に入ることをいい、入庫とは、車が駐車マス２２に入ることをいう。
すると、図１２にフローを示すように、この駐車マス２２の在車センサ２３は車６が駐車されたことを検出し、在車検出信号を駐車マス制御端末２４に送出し、これによって入庫確定タイマのカウントを開始する。
この入庫確定タイマの設定時間（入庫確定時間）により、例えば１５秒の間の車６の入れ直しができ、入庫確定タイマのタイムアップによって入庫が確定したと判断されると、駐車マス制御端末２４はあらかじめ定めた時間の間出庫を可能とする前サービスタイムのカウントを開始し、入庫時間を記憶し、駐車券の発行を可能とする情報を送信するとともに、駐車マス番号ｎ、入庫時刻を制御システム３０に送信する。
すると、制御システム３０の制御システム情報部Ｒ１の駐車マス情報部Ｓ２の駐車マスｍ情報Ｓ２−１の１つに駐車マス番号ｎと入庫時刻が記録される。
【００７８】
なお、入庫確定タイマのタイムアップ前に出庫した場合には、カウントが停止され、前サービスタイム内であれば、駐車券無しでの出場ができるが、精算は不能とされる。
この場合には、駐車マス制御端末２４では、駐車券発行用情報がリセットされ、制御システム３０に駐車マス番号ｎと出庫時刻が送信される。すると、制御システム３０では、制御システム情報部Ｒ１の駐車マス情報部Ｓ２の駐車マスｍ情報Ｓ２−１の１つに駐車マス番号ｎと出庫時刻が記録されるとともに、識別媒体を持たない利用者情報部Ｓ３の前サービスタイム終了前利用者情報部Ｓ３−１の利用者Ｌ情報の１つに駐車マスｍ情報Ｓ２−１がコピーされた後、駐車マスｍ情報はリセットされる。
【００７９】
所定の駐車マス２２に駐車した利用者は、この駐車マス２２の駐車マス番号ｎを記憶し、この駐車マス２２に隣接する駐車券発行機２６、あるいは１つのエリア制御端末２５に接続された同一エリア内のいずれかの駐車券発行機２６に駐車マス番号ｎを入力する。
すると、図１３にフローを示すように、駐車券発行機２６では、駐車券発行用情報を参照して、その駐車マス２２に在車しているか？、前サービスタイム中か？、駐車券が未発行か？、が判断された後、駐車券２７が発行される。
こうして駐車券２７を取得した利用者は、駐車場１０の利用者出入り口２０から出て駐車状態が継続することになる。
なお、駐車マス番号を入力しても駐車券２７が発行されない場合には、駐車マス番号が間違っている場合などであり、再入力を指示する。
【００８０】
発行された駐車券２７を利用者が駐車券発行機２６から抜き取ると、駐車券抜き取り信号を駐車券発行機２６が検知し、制御システム３０に駐車マス番号ｎと駐車券番号ｋを送信する。
すると、制御システム３０では、駐車マス番号ｎに該当する駐車マス情報部Ｓ２の駐車マスｍ情報Ｓ２−１に駐車券番号ｋが記憶されるとともに、駐車券発行済み信号が記憶される。
また、駐車券番号ｋに該当する駐車券情報部Ｓ１の利用者情報Ｓ１−１や精算情報Ｓ１−２に駐車マス番号ｎと関連付けて入庫時刻がそれぞれ記憶される。
さらに、この制御システム３０から駐車マス制御端末２４に駐車マス制御端末アドレス、駐車マス番号ｎ、駐車券発行済み情報が送信され、駐車券が発行済みであることが記憶される。これによって、どの駐車マス制御端末２４で駐車マス番号ｎの駐車マス２２が管理されているかやどの駐車券発行機２６で駐車券番号ｋの駐車券２７が管理されているかが記憶される。
【００８１】
一方、駐車券を取得した後、前サービスタイム中に出庫する場合があるが、この場合には、図１４にフローを示すように、駐車マス２２から出庫されると、在車センサ２３によって出庫が確認され、出庫時刻が駐車マス制御端末２４に記憶されるとともに、前サービスタイムをカウントするタイマのカウントが停止され、駐車券発行用情報がリセットされる。そして、駐車マス制御端末２４から制御システム３０に駐車マス番号ｎと出庫時刻が送信される。
すると、送信された駐車マス番号ｎに該当する駐車マス情報Ｓ２−１に出庫時刻が記憶され、取得された駐車券番号ｋに該当する駐車券情報Ｓ１の利用者情報Ｓ１−１に出庫時刻が記憶されるとともに、精算情報Ｓ１−２に精算不許可の情報が記憶される。この後、駐車マス番号ｎに該当する駐車マス情報Ｓ２−１の情報がリセットされる。
これにより、取得した駐車券ｎでの精算ができないようになり、前サービスタイム中で出庫から一定のサービス時間経過前であればそのまま出場は可能となる。
特に、駐車マスごとなどに料金体系が異なる駐車場であることから、料金の安い駐車マスに駐車して駐車券を取得した後、料金の高い駐車マスに移動して駐車し、安い駐車マスに対して取得した駐車券で精算し、出庫するという不正利用をシステム上防止する必要があり、この駐車券での精算を不許可として対応するものである。
また、前サービスタイム中に出庫して、出場情報検出装置に駐車券を投入した時に、出場するまでに設けられた一定のサービス時間を経過しており、精算が済んでいない倍には、出場が許可されない。
【００８２】
さらに、前サービスタイムが終了すると、駐車マス制御端末２４の前サービスタイム用タイマがタイムアップとなり、前サービスタイムの終了が記憶され、制御システム３０に駐車マス番号ｎとともに、前サービスタイム終了情報が送信される。
すると、制御システム３０では、駐車マス番号ｎに該当する駐車マス情報Ｓ２−１に前サービスタイム情報として前サービスタイムの終了が記憶されたのち、駐車券が発行済みであるか判断し、駐車券が発行されている場合には、駐車券番号ｋに該当する駐車券情報部Ｓ１の利用者情報Ｓ１−１および出場情報Ｓ１−３に前サービスタイムの終了が記憶される。
なお、駐車券が未発行の場合には、管理人のところに駐車券未発行表示がなされる。
【００８３】
さらに、駐車券を取得した後、前サービスタイム後に出庫する場合があるが、この場合には、図１４にフローを示すように、駐車マス２２から出庫されると、在車センサ２３によって出庫が確認され、出庫時刻が駐車マス制御端末２４に記憶されるとともに、駐車マス番号が記憶され、駐車券発行用情報がリセットされる。そして、駐車マス制御端末２４から制御システム３０に駐車マス番号ｎと出庫時刻が送信される。
すると、送信された駐車マス番号ｎに該当する駐車マス情報Ｓ２−１に出庫時刻が記憶され、取得された駐車券番号ｋに該当する駐車券情報Ｓ１の利用者情報Ｓ１−１に出庫時刻が記憶されるとともに、精算情報Ｓ１−２に精算不許可の情報が記憶され、さらに出場情報Ｓ１−３の駐車券所持不正出庫情報として精算せずに出庫した場合に出場不能とする情報が記憶される。この後、駐車マス番号ｎに該当する駐車マス情報Ｓ２−１の情報がリセットされる。
これにより、取得した駐車券ｎでの精算ができないようになり、前サービスタイム後であるので、出場が不許可とされ、精算しなければ出場できなくなる。
なお、出庫とは、駐車マス２２から車が出ることをいい、出場とは、車が駐車場１０から出ることをいう。
【００８４】
このような駐車場の管理システムとすることで、特に、駐車マスごとなどに料金体系が異なる駐車場であることから、料金の安い駐車マスに駐車して駐車券を取得した後、料金の高い駐車マスに移動して駐車し、安い駐車マスに対して取得した駐車券で精算し、出庫するという不正利用をシステム上防止することができ、前サービスタイム中の出庫でこの出庫から一定のサービス時間経過後前であれば出場できるものの、この駐車券での精算は不許可とし、また、この出庫から一定のサービス時間経過後は出場も不許可とし、加えて前サービスタイム後の出庫は精算も出場も不許可とし、精算した場合にのみ出場ができるようにして不正利用に対応するものである。
【００８５】
次に、利用者によっては駐車マス２２に車を駐車した後、急いでいる場合など、駐車券発行機２６に駐車マス番号を入力して駐車券を取得することをせずに直ちに駐車場を出る場合がある。
このような駐車券を取得しない場合には、図１５にフローを示すように、出庫するまでシステム上把握することができないが、駐車マス２２から出庫されると、在車センサ２３によって出庫が確認され、出庫時刻が駐車マス制御端末２４に記憶されるとともに、駐車マス番号が記憶され、駐車券発行用情報がリセットされる。そして、駐車マス制御端末２４から制御システム３０に駐車マス番号ｎと出庫時刻が送信される。
すると、送信された駐車マス番号ｎに該当する駐車マス情報Ｓ２−１に出庫時刻が記憶されたのち、前サービスタイム終了前後のいずれかによって識別媒体を持たない利用者情報部Ｓ３の前サービスタイム終了前利用者情報Ｓ３−１または前サービスタイム終了後利用者情報Ｓ３−２の利用者Ｌ情報に駐車マス情報Ｓ２−１の情報がコピーされる。この後、必要のなくなった駐車マス番号ｎに該当する駐車マス情報Ｓ２−１の情報がリセットされる。
そして、出口ゲート１８付近などに設置された管理事務所などに駐車券２７を未取得の利用者であること、例えば前サービスタイム終了後駐車券未取得利用者出庫情報が表示され、これによって管理人が利用者Ｌ情報Ｓ３−３により駐車料金を精算するなどで対応したり、前サービスタイム終了前の出庫で、この出庫から一定のサービス時間経過前であればそのまま出場させるなどで対応するようになっている。
【００８６】
所望の用事などを行って駐車場に戻った利用者は、駐車券により駐車料金の精算を行う。
この利用者が行う精算は、図１６にフローを示すように、利用者出入り口２０付近などの駐車場１０内に設置された精算機２１に駐車券２７を投入する。
精算機２１では、駐車券番号ｋを読み取る。なお、駐車券２７に駐車券番号ｋのほか駐車マス番号ｎや入庫時刻が書き込まれている場合には、これらの情報も読み取るようにしても良い。
駐車券番号ｋを読み取った精算機２１は、精算時刻を設定し、一時記憶部３４に記憶するとともに、駐車券番号ｋも一時記憶部３４に記憶する。
この後、精算機２１では、制御システム情報部Ｒ１の駐車券情報部Ｓ１の利用者情報Ｓ１−１を参照し、駐車マス番号ｎを一時記憶部に記憶したのち、精算情報Ｓ１−２を参照して精算の可否情報から精算が可能かどうかを判断する。
そして、精算が可能（精算不許可の情報がなければ）であれば、精算情報Ｓ１−２を参照して再精算情報から初めての精算か再精算かを判断する。
【００８７】
初めての精算であれば、精算情報Ｓ１−２の入庫時刻を一時記憶部３４に記憶し、制御システム情報部Ｒ１の料金体系テーブルＳ４を参照して駐車マス番号ｎに対する料金体系ｎを一時記憶部３４に記憶する。
こうして一時記憶部３４に入庫時刻、精算時刻、料金体系が一時記憶された後、駐車料金が算出され、精算機２１に表示される。
【００８８】
また、再精算の場合には、精算情報Ｓ１−２を参照して前精算時刻を一時記憶部３４に記憶したのち、制御システム情報部Ｒ１の料金体系テーブルＳ４を参照して駐車マス番号ｎに該当する料金体系ｎを一時記憶部３４に記憶する。
こうして一時記憶部３４に前精算時刻、精算時刻、料金体系が一時記憶された後、再精算料金が算出され、精算機２１に表示される。
【００８９】
なお、精算が不許可の情報を取得した場合には、精算機２１から制御システム３０に精算不能利用者信号として駐車券番号ｋ、駐車マス番号ｎ、精算機アドレス、精算時刻を送信するとともに、表示部３６に精算不能利用者の発生を表示
する。これと同時に、利用者には、精算機２１から精算できないことを音声、表示画面で伝え、これにより、利用者は、管理人ボタンを押し、管理人による対応を求める。
【００９０】
次に、精算機２１に駐車料金あるいは再精算料金が表示された後、図１７にフローを示すように、利用者による支払いが行われると、精算機２１で入金処理が行われたのち、精算機２１から制御システム３０に駐車券番号ｋ、精算済み信号、駐車料金、精算時刻が送信され、駐車券２７が利用者に返却される。
すると、制御システム３０では、制御システム情報部Ｒ１の駐車券情報部Ｓ１の駐車券ｋ情報の出場情報Ｓ１−３を参照して精算済み信号を精算の有無情報に記憶するとともに、精算情報Ｓ１−２を参照して駐車料金を前精算料金の部分に、精算時刻を前精算時刻の部分にそれぞれ記憶する。
【００９１】
なお、この精算が再精算であったかどうかを判断し、再精算の場合には、精算情報Ｓ１−２を参照して再精算料金を前精算料金の部分に前回の駐車料金に再精算分を加えて、精算時刻を前精算時刻の部分にそれぞれ記憶する。
この後、初めての精算および再精算のいずれの場合も駐車券情報部Ｓ１の利用者情報Ｓ１−１に記録されている駐車マス番号ｎを読み取り、この駐車マス番号ｎを管理している駐車マス制御端末２４へ精算後出庫猶予タイマ作動指令を送信する。
これにより、駐車マス制御端末２４では、精算後出庫猶予タイマのカウントを開始する。
【００９２】
返却された駐車券を取得した利用者は、駐車マス２２に戻り出庫する。
この駐車マス２２からの出庫が行われると、図１８にフローを示すように、在車センサ２３によって出庫が確認され、出庫時刻が駐車マス制御端末２４に記憶されるとともに、駐車マス番号ｎが記憶されたのち、出庫開始によって精算後出庫猶予タイマのカウントが停止され、駐車券発行用情報がリセットされる。
そして、駐車マス制御端末２４から制御システム３０に駐車マス番号ｎと出庫時刻が送信される。
すると、送信された駐車マス番号ｎに該当する駐車マス情報Ｓ２−１に出庫時刻が記憶され、駐車券番号ｋに該当する駐車券情報Ｓ１の利用者情報Ｓ１−１に出庫時刻が記憶されたのち、駐車マス番号ｎに該当する駐車マス情報Ｓ２−１の情報がリセットされる。
【００９３】
一方、精算後出庫猶予タイムがあらかじめ設定した時間を越えると、駐車マス２２に在車していることを条件に精算後出庫猶予タイムがタイムアップし、駐車券発行用情報がリセットされる。
そして、駐車マス制御端末２４から制御システム３０に駐車マス番号ｎと精算後出庫猶予タイム終了情報が送信される。
すると、送信された駐車マス番号ｎに該当する駐車マス情報Ｓ２−１に精算後出庫猶予タイマ終了情報が記憶され、これによって、精算後不正駐車であることが駐車マス番号ｎとともに表示部３６に表示される。
さらに、駐車券番号ｋに該当する駐車券情報Ｓ１の出場情報Ｓ１−３に精算後出庫猶予タイマ終了情報に精算後の出庫猶予タイムが終了したこと、再精算が必要なことおよび未精算であることの情報が記憶される。
これにより、この駐車券ｎでの出場が不許可とされ、再精算しなければ出場できなくなる。
【００９４】
また、利用者が精算後出庫猶予タイム終了後に出庫すると、図１９にフローを示すように、在車センサ２３によって出庫が確認され、出庫時刻が駐車マス制御端末２４に記憶されるとともに、駐車マス番号ｎが記憶されたのち、駐車券発行用情報がリセットされ、駐車マス制御端末２４から制御システム３０に駐車マス番号ｎと出庫時刻が送信される。
すると、送信された駐車マス番号ｎに該当する駐車マス情報Ｓ２−１に出庫時刻が記憶され、駐車券番号ｋに該当する駐車券情報Ｓ１の利用者情報Ｓ１−１にも出庫時刻が記憶されたのち、精算後不正駐車であることが駐車マス番号ｎとともに管理事務所などの表示部３６に表示され、駐車マス番号ｎに該当する駐車マス情報Ｓ２−１の情報はリセットされる。
【００９５】
出庫した利用者は、出口１５の出場ゲート１８の手前に車６を停車し、出場情報検出装置１９に駐車券２７を投入する。
すると、出場情報検出装置１９では、図２０にフローを示すように、駐車券２７から駐車券番号ｋを読み込み、出場申請時刻を設定し、駐車券番号ｋとともに出場申請時刻を記録する。
さらに、制御システム情報部Ｒ１の駐車券情報部Ｓ１の駐車券番号ｋに該当する駐車券情報を参照して出庫時刻を記憶する。
【００９６】
そして、不正出場に対する最初の判断（不正判断１）が行われ、駐車券情報部Ｓ１の出場情報Ｓ１−３の駐車券所持不正出庫情報および精算の有無情報から不正を判断し、不正の情報が記憶されていなければ、出庫後出場までの時間である出庫後出場時間が出場申請時刻と出庫時刻から算出される。
この後、再び不正出場に対する判断（不正判断２）が行われ、出庫後出場時間が出庫後猶予時間を越えているかを判断し、越えていなければ、正規な出場であるとし、出場情報検出装置１９から出場ゲート開閉装置１７に出場ゲート開放指令が送信されるとともに、制御システム３０に駐車券番号ｋと出場情報が送信される。
これにより、出場ゲート開閉装置１７では、出場ゲート１８を開き、車６を出場させた後、出口ゲート１８を閉じる。
【００９７】
なお、不正判断１および不正判断２のいずれかで不正と判断されると、出場情報検出装置１９から制御システム３０にその駐車券番号ｋが送信され、不正出場が発生したことが管理事務所などの表示部３６に表示され、駐車券番号ｋに該当する駐車券情報部Ｓ１の利用者情報Ｓ１‐１、精算情報Ｓ１−２、出場情報Ｓ１−３の各情報が表示され、管理人が容易に対応できるようにする。
制御システム３０では、出場情報検出装置１９から駐車券番号ｋと出場完了情報が送信されると、駐車券発行機２６へ駐車券番号ｋのデータリセット指令を送信する。すると、制御システム３０では、制御システム情報部Ｒ１の駐車券発行機アドレステーブルＳ８の駐車券発行機ｎアドレスＳ８−１および管理している駐車券番号情報Ｓ８−２を参照して該当する駐車券番号ｋを管理している駐車券発行機２６に駐車券番号ｋのデータリセット指令を送信することで行われる。
さらに、制御システム３０内の駐車券情報部Ｓ１の駐車券番号ｋに該当する駐車券情報部Ｓ１の利用者情報Ｓ１‐１、精算情報Ｓ１−２、出場情報Ｓ１−３の駐車券ｋ情報がリセットされる。
これにより、これまで管理に使用していた駐車券番号ｋを再び使用して管理することができる。
【００９８】
このような駐車場管理装置および駐車場管理方法によれば、入場、入庫、精算、出庫、出場までの駐車場の管理を一枚の駐車券で行うことができる。
【００９９】
また、この駐車場管理装置および駐車場管理方法によれば、入口１１の入場ゲート１４で駐車券を取る必要がなく、また出口１５で駐車料金の精算をする必要がないので、入場、出場時に車６が停滞することなく、駐車場１０へ円滑な入出場ができる。
さらに、各駐車マス２２の駐車管理を制御システム３０で集中して行っているので、各駐車マス２２毎にフラップ装置等の自動車拘束装置が必要なく、駐車場１０の建設コストを大幅に抑えることができる。
【０１００】
また、制御システム情報部Ｒ１制御の料金体系テーブルＳ４に駐車料金の精算データとして、例えば各階毎や各駐車マス２２毎に駐車時間に対する料金が異なるように設定することができ、各階や各駐車マスの利用状況、利便性に合致し合理的な料金設定が可能となる。
【０１０１】
さらに、この駐車場管理装置および方法によれば、特に、駐車マス２２ごとなどに料金体系が異なる駐車場とすることによる、料金の安い駐車マス２２に駐車して駐車券２７を取得した後、料金の高い駐車マス２２に移動して駐車し、安い駐車マス２２に対して取得した駐車券２７で精算し、出庫するという不正利用、駐車券を取得した後直ちに精算を行い、その後所用を足して出場する等の不正利用を、駐車マス情報ｎと駐車券情報ｋとを用い、これら２つの情報を関連付けて管理することで、システム上防止することができる。
【０１０２】
また、複数の駐車マス制御端末２４毎にエリア制御端末２５を設け、このエリア制御端末２５に接続された複数の駐車券発行機２６からこれらで管理している駐車マス２２に対する駐車券の発行を要求することができ、駐車マス制御端末２４の設置台数や駐車券発行機２６の設置台数を削減することができる。
【０１０３】
次に、この発明の他の一実施の形態について、図面に基づき詳細に説明する。
【０１０４】
この実施の形態では、これまで説明した上記実施の形態の駐車券一枚を用いて駐車場への入場から出場までを管理するのに替え、駐車場を利用する利用者が所有するカードを用い、この利用者の所有カードの固有の識別情報を利用して駐車券を発行することなく、駐車場を管理するようにしたものであり、既に説明した駐車場管理装置および方法との相違点を主に説明する。
【０１０５】
この利用者の所有するカードとしては、銀行等の金融機関から発行されるカード、クレジットカード、種々の会員カードなど何らかの固有の識別情報、例えば固有の番号などが記載され、あるいは記憶されているものであれば良く、カード自体の内容を読み取ったり、内容を書き換えたりするものでなく、番号などを利用できれば足りるものである。
【０１０６】
このため既に説明した出場情報検出装置１９、精算機２１、駐車券発行機２６にそれぞれカードの読み取り装置が設けられる。
また、制御システム３０としては、既に説明した制御システム情報部Ｒ１に加え、所有者媒体情報テーブルＳ９が設けられ、この所有者媒体情報テーブルＳ９には、図２１に示すように、所有者媒体対応駐車券番号１情報、所有者媒体対応駐車券番号２情報、…がカードに対応して設けられるようになっており、各所有者媒体対応駐車券番号ｋ情報には、駐車券番号と所有者媒体識別情報が記憶できるようになっている。
なお、他の構成は既に説明した駐車場管理装置と同一である。
【０１０７】
このように構成した駐車場管理装置および管理方法では、駐車場１０への入場から入庫までは既に説明した駐車場１０と同様のフローで管理され、入庫を完了した利用者は、駐車券発行機２６の読み取り装置に、所有するカードを投入して固有の識別情報、例えば、番号を読み取らせるとともに、駐車マス２２の番号ｎをテンキーなどから入力する。
すると、駐車券発行機２６では、駐車券番号ｋが選択され、カードの識別情報および駐車マス番号ｎとともにこの駐車券番号ｋが制御システム３０に送信される。制御システム３０では、制御システム情報部Ｒ１に加えて設けた所有者媒体情報テーブルＳ９の所有者媒体対応駐車券番号ｋ情報に、駐車券番号ｋと所有者媒体識別情報が記憶されるとともに、既に説明したフローと同様に、駐車券情報部Ｓ１の各情報に駐車券番号ｋと駐車マス番号ｎが記憶される。
【０１０８】
このように個人の所有媒体識別情報と駐車券番号ｋとを関連付けて記憶することで、これ以降は、所有媒体識別情報が精算機２１や出場情報検出装置１９の読み取り装置から入力されると、制御システム３０の所有媒体情報テーブルＳ９の所有媒体対応駐車券番号ｋ情報を参照して所有媒体識別情報と駐車券番号ｋを関連付けることで、すでに説明したフローと同様に、所有媒体識別情報だけで制御システム３０内では、駐車券番号ｋと駐車マス番号ｎとを用いる場合として駐車場を管理することができる。
【０１０９】
このような駐車場管理装置および方法によれば、既に説明した実施の形態と同様の効果を奏するのに加え、駐車券を発行することなく、個人所有のカードを用いて駐車場を管理することができ、利用者が駐車券を保管する必要もなく一層容易に駐車場を利用することができ、駐車場の管理者も駐車券の発行のための準備や駐車券の回収の必要もなく、管理が容易になる。
【０１１０】
次に、この発明のさらに他の一実施の形態について、図面に基づき詳細に説明する。
【０１１１】
この実施の形態では、これまで説明した上記２つの実施の形態の駐車券一枚、あるいは利用者の所有するカードだけを用いて駐車場への入場から出場までを管理するのに替え、駐車券を用いるのに加え、出場用媒体を精算装置あるいは駐車券発行装置で発行し、駐車券は駐車券発行装置で回収し、出場用媒体を用いて出場させるようにして駐車場を管理することで、駐車券の補充や再利用の手間を省くようにしたものであり、既に説明した駐車場管理装置および方法との相違点を主に説明する。
【０１１２】
このため既に説明した駐車場管理装置に、出場用媒体発行装置が追加されるとともに、駐車券発行装置である駐車券発行機２６に駐車券回収装置が設けられる。なお、出場用媒体発行装置は、精算機２１、あるいは駐車券発行機２６のいずれかに設けるようにすれば良く、精算機２１での精算完了後に出場用媒体を発行したり、駐車券発行機２６に精算後の駐車券が投入回収された後に出場用媒体を発行するようにする。
【０１１３】
また、制御システム３０としては、既に説明した制御システム情報部Ｒ１に加え、出場用媒体情報部Ｓ１０と出場用媒体発行機アドレステーブルＳ１１が設けられ、駐車券情報部Ｓ１には、駐車券番号ｋと関連付けて出場用媒体番号が記憶できるようにしてあり、駐車マス情報部Ｓ２には、駐車マスｍ情報Ｓ２‐１の駐車券番号が、駐車券返却を確認後に、出場用媒体番号に書き換えることができるようにしてある。
【０１１４】
出場用媒体情報部Ｓ１０には、図２２に示すように、出場用媒体１情報、出場用媒体２情報、…が設けられ、各出場用媒体ｋ情報Ｓ１０−１には、出場用媒体ｎ番号と駐車券返却情報が記憶できるようになっており、駐車券返却情報には、駐車券が返却されたときに駐車券返却済みと記録され、駐車券返却済みが記録されてから使用可能となる。
なお、他の構成は既に説明した駐車場管理装置と同一である。
【０１１５】
このように構成した駐車場管理装置および管理方法では、駐車場１０への入場から入庫を経て精算までは既に説明した第１の実施の形態の駐車場１０と同様のフローで管理される。
そして、精算に際して利用者が精算機２１に駐車券２７を投入して精算を開始すると、既に説明した駐車券２７による精算が行われると同時に、出場用媒体を発行するため、出場用媒体番号ｍが選択され、精算が完了すると、駐車券２７を返却するとともに、出場用媒体を発行し、駐車券番号ｋと関連付けて出場用媒体番号ｍを制御システム３０に送信する。
すると、制御システム３０では、駐車券情報部Ｓ１の駐車券番号ｋに該当する駐車券ｋ情報に出場用媒体番号ｍが記憶される。
【０１１６】
駐車券２７と出場用媒体を持った利用者が駐車マス２２に戻り、駐車券発行機２６に駐車券２７を投入し返却すると、駐車券番号ｋを読み取るとともに、駐車券２７を回収し、制御システム３０に駐車券番号ｋと駐車券返却済み信号を送信する。
これにより、制御システム３０では、駐車券情報部Ｓ１の駐車券番号ｋに該当する駐車券ｋ情報を参照して出場用媒体番号ｍ、駐車マス番号ｎを記憶し、駐車券ｋ情報を記憶する。さらに、出場用媒体ｍ情報を参照して駐車券返却済みと記憶し、駐車券ｋ情報を出場用媒体ｍ情報にコピーする。また、駐車マスｎ情報を参照して駐車券番号ｋが出場用媒体番号ｍに書き換えられる。
そして、出場には、出場用媒体が用いられ、これ以降は、既に説明した駐車券番号ｋに代えて出場媒体番号ｍを用いて同様に出場情報検出装置１９などでの情報の送受が行われて駐車場１０の管理が行われる。
【０１１７】
なお、駐車券番号ｋが出場用媒体番号ｍに書き換えられると、駐車券番号ｋがリセットされ、再使用可能とされ、同様に、出場が完了すると、出場用媒体番号ｍもリセットされ、再使用可能とされる。
【０１１８】
また、出場用媒体を精算機２１で発行せずに、精算機２１では、駐車券２７を返却し、駐車券発行機２６に駐車券２７を投入返却したときに出場用媒体を発行するようにしても良く、こうすることで、駐車券を所持したまま出場することを防止して確実に駐車券を駐車券発行機２６に回収することが可能となる。
【０１１９】
このような駐車場管理装置および方法によれば、既に説明した第１の実施の形態と同様の効果を奏するのに加え、駐車券を自動的に回収して循環使用することができ、一層駐車場の管理が容易になる。
【０１２０】
【発明の効果】
以上、実施の形態とともに詳細に説明したように、この発明の請求項１記載の駐車場管理方法によれば、駐車される各駐車マス毎の駐車マス情報と、発行される駐車券毎の駐車券情報とに基づき駐車場の正規利用と不正利用との利用形態を判断して管理するようにしたので、駐車マス情報と駐車券情報との２つの情報を用いることで、正規利用と不正利用とをシステム上で判断し、不正利用を防止することができる。
【０１２１】
この発明の請求項２記載の駐車場管理方法によれば、請求項１記載の構成に加え、  前記利用形態を同一駐車マスに対する前記正規利用と前記不正利用とを前記駐車マス情報と前記駐車券情報とから判断して管理するようにしたので、同一駐車マスに対する正規利用と不正利用が駐車券情報を用いることで容易に判断することができ、システム上で防止することができる。
【０１２２】
この発明の請求項３記載の駐車場管理方法によれば、請求項１または２記載の構成に加え、前記正規利用の一つを、前記駐車券発行後、入庫から一定のサービス時間経過前に、駐車料金の精算前の出庫でこの出庫から一定のサービス時間経過前とし、当該駐車券では出場のみを可能と判断して管理するようにしたので、駐車マスに入庫してから一定のサービス時間経過前に出庫した時、駐車券による精算前でも出庫から一定のサービス時間前には正規利用として出場だけを可能とすることで、この駐車券を用いる不正利用を防止することができる。
【０１２３】
この発明の請求項４記載の駐車場管理方法によれば、請求項１〜３のいずれかに記載の構成に加え、前記不正利用の一つを、前記駐車券発行後、入庫から一定のサービス時間経過前に、駐車料金の精算前の出庫でこの出庫から一定のサービス時間経過後とし、当該駐車券では精算、出場のいずれも不能と判断して管理するようにしたので、不正利用の一つをこのように設定することで、システム上不正利用の１つを容易に判断して防止することができる。
【０１２４】
この発明の請求項５記載の駐車場管理方法によれば、請求項１〜４のいずれかに記載の構成に加え、前記不正利用の一つを、前記駐車券発行後、入庫から一定のサービス時間経過後に、駐車料金の精算前の出庫で、当該駐車券では精算、出場のいずれも不能と判断して管理するようにしたので、不正利用の一つをこのように定めることで、システム上不正利用を容易に判断して防止することができる。
【０１２５】
この発明の請求項６記載の駐車場管理方法によれば、請求項１〜５のいずれかに記載の構成に加え、前記正規利用の一つを、前記駐車券発行後、駐車料金の精算後で一定の出庫の猶予時間経過前の出庫で、この出庫から一定のサービス時間経過後とし、当該駐車券での出場を可能と判断して管理するようにしたので、このような通常の利用を正規利用の一つとして設定しておくことで、システム上容易に判断し管理することができる。
【０１２６】
この発明の請求項７記載の駐車場管理方法によれば、請求項１〜６のいずれかに記載の構成に加え、前記不正利用の一つを、前記駐車券発行後、駐車料金の精算後で一定の出庫の猶予時間経過前の出庫で、この出庫から一定のサービス時間経過後とし、当該駐車券では出場を不能と判断する一方、再精算により前記正規利用として出場可能と判断して管理するようにしたので、精算後の猶予時間の経過の有無によって不正利用と再精算の必要を判断することで、駐車場の管理を広範囲におこなうことができる。
【０１２７】
この発明の請求項８記載の駐車場管理方法によれば、請求項１〜７のいずれかに記載の構成に加え、前記不正利用の一つを、前記駐車券発行後、駐車料金の精算後で一定の出庫の猶予時間経過後とし、当該駐車券での出場を不能と判断する一方、再精算により前記正規利用として出場可能と判断して管理するようにしたので、精算後の猶予時間の経過の有無によって不正利用と再精算の必要を判断することで、駐車場の管理を広範囲に行うことができる。
【０１２８】
この発明の請求項９記載の駐車場管理方法によれば、請求項１〜８のいずれかに記載の構成に加え、前記駐車券のみで入庫から精算、出庫、出場までを管理するようにしたので、１枚の駐車券とシステム上の駐車マス情報および駐車券情報等との組み合わせによって駐車場の管理や利用形態の判断を行うことができる。
【０１２９】
この発明の請求項１０記載の駐車場管理方法によれば、請求項１〜９のいずれかに記載の構成に加え、前記駐車券に加え、精算後に発行される出場用媒体とにより入庫から精算、出庫、出場までを管理するようにしたので、駐車券のほかに精算後に出場用媒体を発行することで、駐車券の回収や再利用を容易とし、管理の省力化を図ることができる。
【０１３０】
この発明の請求項１１記載の駐車場管理方法によれば、請求項１〜１０のいずれかに記載の構成に加え、前記駐車券に加え、精算後出場用媒体を発行し、前記駐車券を駐車券発行部分に回収するようにし、入庫から精算、出庫、出場までを管理するようにしたので、出場を精算後に精算装置または駐車券発行装置から発行される出場用媒体を用いて行うことで、駐車券を発行部分に返却させることができ、一層駐車場の人手によって行われる部分の管理の省力化を図ることが容易となる。
【０１３１】
この発明の請求項１２記載の駐車場管理方法によれば、請求項１〜１１のいずれかに記載の構成に加え、前記駐車券に代え、利用者所有の識別情報を備えたカードを用い、この識別情報と前記駐車券情報とを関連付けて入庫から精算、出庫、出場までを管理するようにしたので、利用者が所有しているカードの識別情報を駐車券情報と関連付けて用いることで駐車券と同様に機能させることができ、駐車券を用いることなく駐車場を管理することができる。
【０１３２】
この発明の請求項１３記載の駐車場管理方法によれば、請求項１〜１２のいずれかに記載の構成に加え、前記駐車料金を、予め各駐車マス毎あるいは複数の駐車マス毎に料金体系を任意に設定可能とし、前記駐車マス情報と当該料金体系とに基づき駐車料金を精算し管理するようにしたので、各駐車マス毎などに任意に設定した料金体系と駐車マス情報とに基づいて料金を精算し管理することで、駐車マスの利便性によって料金を任意に設定することができ、不公平感を無くしてそれぞれの駐車マスの利用効率を向上することができる。
【０１３３】
この発明の請求項１４記載の駐車場管理方法によれば、請求項１〜１３のいずれかに記載の構成に加え、前記入庫を、各駐車マスに設けた在車センサが一定時間以上在車を検知したことで確定し、確定後、前記駐車マス情報と入庫時間を取得するようにして管理するようにしたので、駐車マスへの入庫を在車センサが一定時間以上検出することで確定することができ、これにより入庫時間を駐車マス情報とともに取得して管理することができる。
【０１３４】
この発明の請求項１５記載の駐車場管理方法によれば、請求項１〜１４のいずれかに記載の構成に加え、前記入庫確定後、前記駐車マス情報の入力により前記駐車券を発行可能とし、この駐車券発行後あるいは利用者所有のカードの識別情報を読み取り前記駐車マス情報の入力後、前記駐車マス情報とともに駐車券情報を取得して管理するようにしたので、駐車マス情報の入力により駐車券を発行することで、あるいは利用者所有のカードの識別情報を読み取り前記駐車マス情報の入力により駐車マス情報と駐車券情報を取得して管理することで、２つの情報を関連付けることができ、これにより駐車場の利用形態などの管理も容易に行うことができる。
【０１３５】
この発明の請求項１６記載の駐車場管理方法によれば、請求項１〜１５のいずれかに記載の構成に加え、前記駐車マス情報の入力を複数箇所のいずれかから入力可能として前記駐車券を発行可能としあるいは利用者所有のカードの識別情報を読み取り可能として管理するようにしたので、駐車券の発行あるいは利用者所有のカードの識別情報の読み取りを複数箇所から行うことができ、これにより利用者が特定の所で駐車券の発行手続あるいは利用者所有のカードの識別情報を読み込ませる手続を行う必要がなく、駐車場の利便性を一層向上することができる。
【０１３６】
この発明の請求項１７記載の駐車場管理方法によれば、請求項１〜１６のいずれかに記載の構成に加え、前記駐車券あるいは利用者所有のカードの駐車券情報を読み取り、対応する駐車マス情報と関連付けて予め設定された前記料金体系に基づき精算し、精算済情報を取得するようにして管理するようにしたので、駐車券あるいは利用者所有のカードの駐車券情報を読み取ることで対応する駐車マス情報から料金体系を得て駐車料金を精算でき、この精算による精算済情報でその後の出場などの管理を行うことができる。
【０１３７】
この発明の請求項１８記載の駐車場管理方法によれば、請求項１〜１７のいずれかに記載の構成に加え、前記精算済情報として精算時刻を取得し、この精算時刻に基づき一定の出場猶予時間内の出場を可能として管理するようにしたので、精算済情報として精算時刻を取得することで、精算後出場までの一定の出場猶予時間の開始を管理して出場させることができる。
【０１３８】
この発明の請求項１９記載の駐車場管理方法によれば、請求項１〜１８のいずれかに記載の構成に加え、前記精算済み情報を関連している駐車券情報と関連付けて記録して管理するようにしたので、駐車券番号あるいは利用者所有のカードの識別情報により、この駐車券番号あるいは利用者所有のカードの識別情報と関連付けられた精算済み情報を検索することができる。
【０１３９】
この発明の請求項２０記載の駐車場管理方法によれば、請求項１〜１９のいずれかに記載の構成に加え、前記出場後、前記駐車券情報をリセットして再使用可能として管理するようにしたので、出場が完了した後駐車券情報をリセットすることで同一情報部に駐車券情報を再び記録するなどで再使用でき、これにより管理制御装置などのシステムの容量を小さくでき、管理も容易に行うことができる。
【０１４０】
この発明の請求項２１記載の駐車場管理方法によれば、請求項１〜２０のいずれかに記載の構成に加え、前記不正利用に対しては、警報を表示するとともに、管理人により対応して管理するようにしたので、不正利用に対しては警報を表示し、管理人が対応するようにすることで、不正利用を抑制し、発生した場合の対応も簡単に行うことができる。
【０１４１】
この発明の請求項２２記載の駐車場管理装置によれば、  駐車される各駐車マス毎の駐車マス情報を取得する駐車マス制御端末装置と、駐車券を発行しあるいは利用者所有のカードの識別情報を読み込み駐車券情報を取得する駐車券発行装置と、発行される各駐車券あるいは利用者所有のカードごとの駐車券情報と駐車マス情報とに基づき駐車料金を精算し精算情報を取得する精算装置と、出場情報を検出する出場情報検出装置と、これら各装置と各情報とを通信可能とされるとともに、入庫から精算、出庫、出場までを制御し判断し管理する中央制御管理装置とを具備して構成したので、駐車マス制御端末装置と、駐車券発行装置と、精算装置と、出場情報検出装置とを中央制御管理装置で構成することで、駐車マス情報と駐車券情報とに基づき駐車料金を精算し、取得した精算情報や出場情報を検出して出場の可否を検出するなどして入庫から精算、出庫、出場までを制御し判断して駐車場を管理することができる。
【０１４２】
この発明の請求項２３記載の駐車場管理装置によれば、請求項２２記載の構成に加え、前記駐車マス制御端末装置は、駐車マスへの在車を検出する在車センサを備えるようにしたので、在車センサによって駐車マスへの在車を検出することができ、これにより入庫の確定や入庫時間の取得ができる。
【０１４３】
この発明の請求項２４記載の駐車場管理装置によれば、請求項２２または２３記載の構成に加え、前記駐車マス制御端末装置は、前記駐車マス毎あるいは複数の前記駐車マス毎に設けるようにしたので、駐車マス制御端末装置を駐車マス毎あるいは複数の駐車マス毎に設けることで、設置台数を削減し装置を簡素化することができる。
【０１４４】
この発明の請求項２５記載の駐車場管理装置によれば、請求項２２〜２４のいずれかに記載の構成に加え、前記駐車マス制御端末装置は、複数の装置毎にエリア制御端末装置を介して設けるようにしたので、複数の駐車マス制御端末装置毎にエリア制御端末装置を設けることで、一層設置台数を削減して装置を簡素化することができる。
【０１４５】
この発明の請求項２６記載の駐車場管理装置によれば、請求項２２〜２５のいずれかに記載の構成に加え、前記駐車券発行装置は、前記駐車マス毎あるいは複数の前記駐車マス毎に設けるようにしたので、駐車マス毎あるいは複数の駐車マス毎に設けた駐車券発行装置で駐車券を発行することで、装置の台数を削減して効率的に発券することができる。
【０１４６】
この発明の請求項２７記載の駐車場管理装置によれば、請求項２２〜２６のいずれかに記載の構成に加え、前記駐車券発行装置は、前記駐車マスの番号を入力する毎に発行可能に構成するようにしたので、駐車券発行装置で、駐車マスの番号を入力する毎に駐車券を発行することで、駐車マスの番号と駐車券情報を関連付けて管理することができ、これにより正規利用と不正利用の判断などを容易に行うことができる。
【０１４７】
この発明の請求項２８記載の駐車場管理装置によれば、請求項２２〜２７のいずれかに記載の構成に加え、前記駐車券発行装置は、駐車券発行ボタンが押されるか、利用者所有のカードの識別情報を読み込み、前記駐車マスの番号が入力可能に構成するようにしたので、駐車券発行装置で、利用者所有のカードの識別情報を読み込み駐車マスの番号を入力された時に、駐車マスの番号と駐車券情報を関連付けて管理することができ、これにより、正規利用と不正利用の判断などを容易に行うことができる。
【０１４８】
この発明の請求項２９記載の駐車場管理装置によれば、請求項２２〜２８のいずれかに記載の構成に加え、前記精算装置は、前記駐車券の投入あるいは利用者所有のカードの識別情報の読み込みにより精算可能に構成するようにしたので、駐車券の投入あるいは利用者所有のカードの識別情報の読み込みにより駐車料金の精算を行うことができる。
【０１４９】
この発明の請求項３０記載の駐車場管理装置によれば、請求項２２〜２９のいずれかに記載の構成に加え、前記精算装置は、精算後に前記駐車券または前記カードを返却するとともに、出場用媒体を発行可能に構成するようにしたので、精算装置で精算後に駐車券またはカードを返却して出場用媒体を発行することで、駐車券を回収した場合でも出場用媒体で出場することができる。
【０１５０】
この発明の請求項３１記載の駐車場管理装置によれば、請求項２２〜３０のいずれかに記載の構成に加え、前記中央制御管理装置は、前記駐車マス制御端末装置からの駐車マス情報を記録する駐車マス情報部と、駐車券発行装置からの駐車券情報を記録する駐車券情報部と、これら情報に基づき正規利用、不正利用の判断用のプログラムを格納するプログラム格納部とを有してなるので、中央制御管理装置が駐車マス情報部と、駐車券情報部と、プログラム格納部とを有していることから、駐車マス情報と駐車券情報と利用形態を判断するプログラムから不正利用や正規利用を判断して管理することができる。
【０１５１】
この発明の請求項３２記載の駐車場管理装置によれば、請求項２２〜３１のいずれかに記載の構成に加え、前記中央制御管理装置には、出口ゲートが接続され、前記出場情報検出装置と当該中央制御管理装置とで出場許可と判断をした場合に当該出口ゲートを開放可能に構成したので、中央制御管理装置に接続した出口ゲートを、出場情報検出装置と中央制御管理装置とで判断して開放するようにすることで、出口ゲートからの出場を管理することもできる。
【０１５２】
この発明の請求項３３記載の駐車場管理装置によれば、請求項２２〜３２のいずれかに記載の構成に加え、前記中央制御管理装置には、前記駐車マス毎あるいは複数の駐車マス毎の料金体系を設定する料金体系設定部が設けてあるので、中央制御管理装置に設けた料金体系設定部に駐車マス毎あるいは複数の駐車マス毎の料金体系に料金を任意に設定することができ、利便性に応じた料金などを設定することができる。
【０１５３】
この発明の請求項３４記載の駐車場管理装置によれば、駐車される各駐車マス毎の駐車マス情報を取得する駐車マス制御端末装置と、駐車券を発行しあるいは利用者所有のカードの識別情報を読み取り前記駐車マス情報の入力後に駐車券情報を取得する駐車券発行装置と、発行される各駐車券あるいは前記識別情報を読み込んだ利用者所有のカードごとの駐車券情報と駐車マス情報と料金体系とに基づき駐車料金を精算し精算情報を取得する精算装置と、出場情報を検出する出場情報検出装置と、これら各装置と各情報とを通信可能とされるとともに、入庫から精算、出庫、出場までを制御し判断し管理する中央制御管理装置とを具備し、これら各装置からの情報により当該中央制御管理装置では、駐車マスに車が駐車されると少なくともマス番号と駐車された時刻あるいは、前記中央制御管理装置が駐車された時刻を特定できるデータを含む駐車マス情報を前記中央制御管理装置に送信するステップと、前記駐車券発行装置に前記駐車マス情報が入力されて駐車券が発行されるあるいは利用者所有のカードの識別情報を読み取り前記駐車マス情報が入力されると少なくとも駐車券番号を含む駐車券情報と駐車マス番号とを前記中央制御管理装置に送信するステップと、前記駐車マス情報と前記駐車券情報を関連付けるステップと、前記精算装置で精算手続が開始された場合に、当該精算装置より少なくとも駐車券番号あるいは利用者所有のカードの識別情報と駐車マス番号に関連付けられた開始時刻を含む精算情報が前記中央制御管理装置に送信されるステップと、当該中央制御管理装置が精算情報と前記駐車マス情報および前記駐車券情報を基に精算の可否を判断し、前記精算装置に精算許可の信号を発するステップと、前記精算機で精算が終了した場合に、少なくとも前記駐車券番号あるいは利用者所有のカードの識別情報に関連付けられた精算終了時刻を含む精算情報が前記中央制御管理装置に送信されるステップと、前記駐車券情報と前記精算情報を関連付けて記録するステップと、駐車マスから車が出庫すると少なくともマス番号と出庫された時刻あるいは、前記中央制御管理装置が出庫された時刻を得で記するデータを含む駐車マス情報を前記中央制御管理装置に送信するステップと、前記駐車マス情報と対応した駐車券情報内に、前記駐車マス情報を記録するステップと、前記出場情報検出装置に対して出場手続が開始された場合に当該出場情報検出装置が少なくとも前記駐車券番号あるいは利用者所有のカードの識別情報に関連付けられた出場申請時刻を含む出場申請情報を前記中央制御管理装置に送信するステップと、前記駐車券情報、前記精算情報、前記出場申請情報を基に前記中央制御管理装置が正規利用か不正利用かを判断するステップとで利用形態を判断し管理するようにしたので、中央制御管理装置で上記ステップにしたがって判断し管理することで、駐車場で入出庫を円滑に行うことができ、建設費が低減でき、さらに各階層毎の料金体系などの管理条件の設定ができ、しかも不正利用を防止することもできる等、多様な管理ができる駐車場管理装置とすることができる。
【図面の簡単な説明】
【  図１  】この発明の駐車場管理装置および方法の一実施の形態にかかる概略構成図である。
【  図２  】この発明の駐車場管理装置および方法の一実施の形態にかかる制御システムの概略構成図である。
【  図３  】この発明の駐車場管理装置および方法の一実施の形態にかかる制御システム情報部の概略構成図である。
【  図４  】この発明の駐車場管理装置および方法の一実施の形態にかかる駐車券情報部の概略構成図である。
【  図５  】この発明の駐車場管理装置および方法の一実施の形態にかかる駐車マス情報部の概略構成図である。
【  図６  】この発明の駐車場管理装置および方法の一実施の形態にかかる識別媒体を持たない利用者情報部の概略構成図である。
【  図７  】この発明の駐車場管理装置および方法の一実施の形態にかかる料金体系テーブルの概略構成図である。
【  図８  】この発明の駐車場管理装置および方法の一実施の形態にかかる猶予時間体系テーブルの概略構成図である。
【  図９  】この発明の駐車場管理装置および方法の一実施の形態にかかる駐車マス制御端末アドレステーブルの概略構成図である。
【  図１０  】この発明の駐車場管理装置および方法の一実施の形態にかかる精算機アドレステーブルの概略構成図である。
【  図１１  】この発明の駐車場管理装置および方法の一実施の形態にかかる駐車券発行機アドレステーブルの概略構成図である。
【  図１２  】この発明の駐車場管理装置および方法の一実施の形態にかかる駐車場の管理の第１のフロー図である。
【  図１３  】この発明の駐車場管理装置および方法の一実施の形態にかかる駐車場の管理の第２のフロー図である。
【  図１４  】この発明の駐車場管理装置および方法の一実施の形態にかかる駐車場の管理の第３のフロー図である。
【  図１５  】この発明の駐車場管理装置および方法の一実施の形態にかかる駐車場の管理の第４のフロー図である。
【  図１６  】この発明の駐車場管理装置および方法の一実施の形態にかかる駐車場の管理の第５のフロー図である。
【  図１７  】この発明の駐車場管理装置および方法の一実施の形態にかかる駐車場の管理の第６のフロー図である。
【  図１８  】この発明の駐車場管理装置および方法の一実施の形態にかかる駐車場の管理の第７のフロー図である。
【  図１９  】この発明の駐車場管理装置および方法の一実施の形態にかかる駐車場の管理の第８のフロー図である。
【  図２０  】この発明の駐車場管理装置および方法の一実施の形態にかかる駐車場の管理の第９のフロー図である。
【  図２１  】この発明の駐車場管理装置および方法の他の一実施の形態にかかる所有媒体情報テーブルの概略構成図である。
【  図２２  】この発明の駐車場管理装置および方法のさらに他の一実施の形態にかかる出場用媒体情報部の概略構成図である。
【  図２３  】従来例の駐車場管理装置の概略説明図である。
【  図２４  】他の従来例の駐車場管理装置の概略説明図である。
【符号の説明】
６    車
１０    駐車場
１１  入口
１２  入場ゲート用在車検知センサ
１３  入場ゲート開閉装置
１４  入場ゲート
１５  出口
１６  出場ゲート用在車検知センサ
１７  出場ゲート開閉装置
１８  出場ゲート
１９  出場情報検出装置
２０  利用者出入り口
２１  精算機（精算装置）
２２  駐車マス
２３  在車センサ
２４  駐車マス制御端末（駐車マス制御端末装置）
２５  エリア制御端末（エリア制御端末装置）
２６  駐車券発行機（駐車券発行装置）
２７  駐車券
３０  制御システム（中央制御管理装置）
Ｒ１  制御システム情報部
３２  プログラム格納部
３３  主制御部
３４  一時記憶部
３５  送受信部
３６  表示部
３７  操作部
３８  読み取り装置
【図１】
2004272404.tif 000003
【図２】
2004272404.tif 000004
【図３】
2004272404.tif 000005
【図４】
2004272404.tif 000006
【図５】
2004272404.tif 000007
【図６】
2004272404.tif 000008
【図７】
2004272404.tif 000009
【図８】
2004272404.tif 000010
【図９】
2004272404.tif 000011
【図１０】
2004272404.tif 000012
【図１１】
2004272404.tif 000013
【図１２】
2004272404.tif 000014
【図１３】
2004272404.tif 000015
【図１４】
2004272404.tif 000016
【図１５】
2004272404.tif 000017
【図１６】
2004272404.tif 000018
【図１７】
2004272404.tif 000019
【図１８】
2004272404.tif 000020
【図１９】
2004272404.tif 000021
【図２０】
2004272404.tif 000022
【図２１】
2004272404.tif 000023
【図２２】
2004272404.tif 000024
【図２３】
2004272404.tif 000025
【図２４】
2004272404.tif 000026